(57)【特許請求の範囲】
【請求項１】
ネットワークへのＵＥ（１０１）のアクセスを取り扱うための、モビリティノード（１０５）により実行される方法であって、前記モビリティノード（１０５）は、前記ＵＥ（１０１）によりその時点でアクセスされている訪問先ネットワーク（１００ｖ）内に位置し、
前記方法は、
前記ＵＥ（１０１）がカレント訪問先ネットワーク（１００ｖ）へアクセスする際に、前記カレント訪問先ネットワークを通じて、前記ＵＥ（１０１）のホームネットワーク（１００ｈ）内の加入者サーバ（１０８）へ、前記ＵＥ（１０１）についてのアクセス情報を求める要求であって、前記カレント訪問先ネットワーク（１００ｖ）及び、前記ＵＥ（１０１）がアクセス可能な少なくとも１つの潜在的な訪問先ネットワークを示すネットワーク情報を含む当該要求を送信すること（３０２，５０１）であって、前記ＵＥ（１０１）がアクセス可能な前記潜在的な訪問先ネットワークは、前記カレント訪問先ネットワーク（１００ｖ）に隣接する隣接ネットワークであることと、
前記加入者サーバ（１０８）から、前記要求において示された前記ネットワークのうちの少なくともいくつかについての要求された前記アクセス情報であって、前記要求において示された前記ネットワークのうちの少なくともいくつかについての、前記ＵＥ（１０１）がアクセスすることを許可される許可ネットワークＩＤ及び対応する許可ＲＡＴを含む当該アクセス情報を受信すること（３０４，５０３）と、
前記ＵＥ（１０１）が前記潜在的な訪問先ネットワークのうちの１つへアクセスしようとする際に、以前に受信した前記アクセス情報に基づいて、前記ＵＥ（１０１）が前記潜在的な訪問先ネットワークへアクセスすることを許可されるかを判定すること（５０５）と、
を含む方法。
【請求項２】
以前に受信した前記アクセス情報に基づいて、前記ＵＥ（１０１）が前記潜在的な訪問先ネットワークへアクセスすることを許可されるかを判定すること（５０５）は、
以前に受信した前記アクセス情報に基づいて、前記ＵＥ（１０１）が前記潜在的な訪問先ネットワークのＲＡＴへアクセスすることを許可されるかを判定すること（５０５）、
をさらに含む、請求項１に記載の方法。
【請求項３】
以前に受信した前記アクセス情報に基づいて、前記ＵＥ（１０１）が前記潜在的な訪問先ネットワークへアクセスすることを許可されるかを判定すること（５０５）は、
前記潜在的な訪問先ネットワークのネットワークＩＤを、受信した前記アクセス情報内の前記許可ネットワークＩＤと比較すること（３０６，５０５）、及び、
前記潜在的な訪問先ネットワークの前記ＲＡＴを、受信した前記アクセス情報内の前記許可ＲＡＴと比較すること（３０６，５０５）、
のうちの少なくとも１つをさらに含む、請求項１〜２のいずれか１項に記載の方法。
【請求項４】
各許可ネットワークＩＤは、少なくとも１つの対応する許可ＲＡＴを有し、
各許可ネットワークＩＤ及びその対応する許可ＲＡＴは、ペアに編成される、請求項１〜３のいずれか１項に記載の方法。
【請求項５】
前記潜在的な訪問先ネットワークの前記ネットワークＩＤが受信したアクセス情報内の許可ネットワークＩＤに合致する場合かつ前記潜在的な訪問先ネットワークの前記ＲＡＴが受信した前記アクセス情報内の許可ＲＡＴに合致する場合に、前記ＵＥ（１０１）は、前記潜在的な訪問先ネットワークへアクセスすることを許可され、前記許可ネットワークＩＤ及び前記許可ＲＡＴは、互いに関連付けられる、請求項１〜４のいずれか１項に記載の方法。
【請求項６】
前記ＵＥ（１０１）は、
−  前記潜在的な訪問先ネットワークの前記ネットワークＩＤが前記許可ネットワークＩＤに合致しない場合、及び、
−  前記潜在的な訪問先ネットワークの前記ＲＡＴが前記許可ＲＡＴに合致しない場合、
のうちの少なくとも一方である場合に、前記潜在的な訪問先ネットワークへアクセスすることを許可されない、請求項１〜５のいずれか１項に記載の方法。
【請求項７】
受信した記アクセス情報をＲＡＮノード（１０３）又はワイヤレスアクセスノード（
１０３）へ送信すること（３０５）、
をさらに含む、請求項１〜６のいずれか１項に記載の方法。
【請求項８】
アクセス情報を求める前記要求は、アクセス情報を求める前記要求のための専用メッセージであり、又は、アクセス情報を求める前記要求は、ロケーション更新要求メッセージにおいて送信され、
前記アクセス情報は、前記アクセス情報のための専用メッセージにおいて受信され、又は、前記アクセス情報は、ロケーション更新応答メッセージにおいて受信される、請求項１〜７のいずれか１項に記載の方法。
【請求項９】
前記カレント訪問先ネットワークは、カレント訪問先ＰＬＭＮであり、前記潜在的な訪問先ネットワークは、潜在的な訪問先ＰＬＭＮである、請求項１〜８のいずれか１項に記載の方法。
【請求項１０】
前記カレント訪問先ネットワーク（１００ｖ）は、１つ以上のＲＡＴを含み、前記潜在的な訪問先ネットワークは、１つ以上のＲＡＴを含む、請求項１〜９のいずれか１項に記載の方法。
【請求項１１】
前記ＲＡＴは、３ＧＰＰ  ＲＡＮ又は非３ＧＰＰ  ＲＡＮであり、
前記潜在的な訪問先ネットワークの前記ネットワークＩＤは、ＰＬＭＮ  ＩＤ又はＳＳＩＤであり、前記許可ネットワークＩＤは、許可ＰＬＭＮ  ＩＤ又は許可ＳＳＩＤであり、
前記モビリティノード（１０５）は、ＭＭＥか、ＳＧＳＮか、組み合わされたＭＭＥ及びＳＧＳＮか、ＴＷＡＧか、又はｅＰＤＧである、請求項１〜１０のいずれか１項に記載の方法。
【請求項１２】
ネットワークへのＵＥ（１０１）のアクセスを取り扱うための、加入者サーバ（１０８）により実行される方法であって、
前記加入者サーバ（１０８）は、ＵＥ（１０１）のホームネットワーク（１００ｈ）内に位置し、
前記方法は、
前記ＵＥ（１０１）がカレント訪問先ネットワーク（１００ｖ）へアクセスする際に、前記カレント訪問先ネットワーク（１００ｖ）内のモビリティノード（１０５）から、前記ＵＥ（１０１）についてのアクセス情報を求める要求であって、前記カレント訪問先ネットワーク（１００ｖ）及び前記ＵＥ（１０１）がアクセス可能な少なくとも１つのる潜在的な訪問先ネットワークを示すネットワーク情報を含む当該要求を受信すること（３０２，５０１）であって、前記ＵＥ（１０１）がアクセス可能な前記潜在的な訪問先ネットワークは、前記カレント訪問先ネットワーク（１００ｖ）に隣接する隣接ネットワークであることと、
要求された前記アクセス情報であって、前記要求において示された前記ネットワークのうちの少なくともいくつかについての、前記ＵＥ（１０１）がアクセスすることを許可される許可ネットワークＩＤ及び対応する許可制限ＲＡＴを含む当該アクセス情報を取得すること（３０３，５０２）と、
要求された前記アクセス情報を前記モビリティノード（１０５）へ送信すること（３０４）と、
を含む方法。
【請求項１３】
前記許可ネットワークＩＤ及び対応する許可制限ＲＡＴは、前記加入者サーバ（１０８）においてペアに編成される、請求項１２に記載の方法。
【請求項１４】
前記アクセス情報を前記取得すること（３０３，５０２）は、
前記加入者サーバ（１０８）内に含まれる全てのアクセス情報をフィルタリングして、前記要求において示された要求された前記アクセス情報を取得すること（３０３，５０２）、
をさらに含む、請求項１２〜１３のいずれか１項に記載の方法。
【請求項１５】
要求された前記アクセス情報は、サブスクリプションデータの一部として前記モビリティノード（１０５）へ送信される、請求項１２〜１４のいずれか１項に記載の方法。
【請求項１６】
前記加入者サーバ（１０８）は、ＨＳＳか、ＨＬＲか、又はＡＡＡサーバである、請求項１２〜１５のいずれか１項に記載の方法。
【請求項１７】
ネットワークへのＵＥ（１０１）のアクセスを取り扱うための、ＲＡＮノード（１０３）により実行される方法であって、前記ＲＡＮノード（１０３）は、ＵＥ（１０１）によりその時点でアクセスされている訪問先ネットワーク（１００ｖ）内に位置し、
前記方法は、
モビリティノード（１０５）から、アクセス情報であって、カレント訪問先ネットワーク（１００ｖ）及び、少なくとも１つの潜在的な訪問先ネットワークについての、前記ＵＥ（１０１）がアクセスすることを許可される許可ネットワークＩＤ及び対応する許可ＲＡＴを含む当該アクセス情報を受信すること（３０５）であって、前記ＵＥ（１０１）がアクセス可能な前記潜在的な訪問先ネットワークは、前記カレント訪問先ネットワーク（１００ｖ）に隣接する隣接ネットワークであることと、
受信した前記アクセス情報に基づいて、受信した前記アクセス情報に合致しないネットワークが前記ＵＥ（１０１）についての潜在的な訪問先ネットワークとして使用されるべきではないと判定すること（３０７）と、
を含む方法。
【請求項１８】
前記ＵＥ（１０１）についての潜在的な訪問先ネットワークとして使用されるべきではない前記ネットワークは、セル測定から除外されるか、ハンドオーバターゲットとして除外されるか、及び、リダイレクションターゲットで除外されるかの少なくともいずれかであるべきである、請求項１７に記載の方法。
【請求項１９】
前記ＲＡＮノード（１０３）は、ｅＮＢか、ＢＳＣか、ＲＮＣか、ＮＢか、ＴＷＡＧか、又はｅＰＤＧである、請求項１７〜１８のいずれか１項に記載の方法。
【請求項２０】
ネットワークへのＵＥ（１０１）のアクセスを取り扱うように構成されるモビリティノード（１０５）であって、前記モビリティノード（１０５）は、前記ＵＥ（１０１）によりその時点でアクセスされている訪問先ネットワーク（１００ｖ）内に位置するように構成され、
前記モビリティノード（１０５）は、
前記ＵＥ（１０１）がカレント訪問先ネットワーク（１００ｖ）へアクセスする際に、前記カレント訪問先ネットワークを通じて、前記ＵＥ（１０１）のホームネットワーク（１００ｈ）内の加入者サーバ（１０８）へ、前記ＵＥ（１０１）についてのアクセス情報を求める要求であって、前記カレント訪問先ネットワーク（１００ｖ）及び前記ＵＥ（１０１）がアクセス可能な少なくとも１つの潜在的な訪問先ネットワークを示すネットワーク情報を含む当該要求を送信し、前記ＵＥ（１０１）がアクセス可能な前記潜在的な訪問先ネットワークは、前記カレント訪問先ネットワーク（１００ｖ）に隣接する隣接ネットワークであり、
前記加入者サーバ（１０８）から、前記要求において示された前記ネットワークのうちの少なくともいくつかについての要求された前記アクセス情報であって、前記要求において示された前記ネットワークのうちの少なくともいくつかについての、前記ＵＥ（１０１）がアクセスすることを許可される許可ネットワークＩＤ及び対応する許可ＲＡＴを含む当該アクセス情報を受信し、
前記ＵＥ（１０１）が前記潜在的な訪問先ネットワークのうちの１つへアクセスしようとする際に、以前に受信した前記アクセス情報に基づいて、前記ＵＥ（１０１）が前記潜在的な訪問先ネットワークへアクセスすることを許可されるかを判定する、
ようにさらに構成されるモビリティノード（１０５）。
【請求項２１】
前記モビリティノード（１０５）は、請求項２乃至１１のいずれか１項に記載の方法をさらに実行するように構成される請求項２０に記載のモビリティノード（１０５）。
【請求項２２】
ネットワークへのＵＥ（１０１）のアクセスを取り扱うように構成される加入者サーバ（１０８）であって、前記加入者サーバ（１０８）は、ＵＥ（１０１）のホームネットワーク（１００ｈ）内に位置するように構成され、
前記加入者サーバ（１０８）は、
前記ＵＥ（１０１）がカレント訪問先ネットワーク（１００ｖ）へアクセスする際に、前記カレント訪問先ネットワーク（１００ｖ）内のモビリティノード（１０５）から、前記ＵＥ（１０１）についてのアクセス情報を求める要求であって、前記カレント訪問先ネットワーク（１００ｖ）及び前記ＵＥ（１０１）がアクセス可能な少なくとも１つの潜在的な訪問先ネットワークを示すネットワーク情報を含む当該要求を受信し、前記ＵＥ（１０１）がアクセス可能な前記潜在的な訪問先ネットワークは、前記カレント訪問先ネットワーク（１００ｖ）に隣接する隣接ネットワークであり、
要求された前記アクセス情報であって、前記要求において示された前記ネットワークのうちの少なくともいくつかについての、前記ＵＥ（１０１）がアクセスすることを許可される許可ネットワークＩＤ及び対応する許可制限ＲＡＴを含む当該アクセス情報を取得し、
要求された前記アクセス情報を前記モビリティノード（１０５）へ送信する、
ようにさらに構成される、加入者サーバ（１０８）。
【請求項２３】
前記加入者サーバは、請求項１３乃至１６のいずれか１項に記載の方法をさらに実行するように構成される請求項２２に記載の加入者サーバ（１０８）。
【請求項２４】
ネットワークへのＵＥ（１０１）のアクセスを取り扱うように構成されるＲＡＮノード（１０３）であって、前記ＲＡＮノード（１０３）は、ＵＥ（１０１）によりその時点でアクセスされている訪問先ネットワーク（１００ｖ）内に位置するように構成され、
前記ＲＡＮノード（１０３）は、
モビリティノード（１０５）から、アクセス情報であって、カレント訪問先ネットワーク（１００ｖ）及び、少なくとも１つの潜在的な訪問先ネットワークについての、前記ＵＥ（１０１）がアクセスすることを許可される許可ネットワークＩＤ及び対応する許可ＲＡＴを含む当該アクセス情報を受信し、前記ＵＥ（１０１）がアクセス可能な前記潜在的な訪問先ネットワーク（１００ｖ）は、前記カレント訪問先ネットワーク（１００ｖ）に隣接する隣接ネットワークであり、
受信した前記アクセス情報に基づいて、受信した前記アクセス情報に合致しないネットワークが前記ＵＥ（１０１）についての潜在的な訪問先ネットワークとして使用されるべきではないと判定する、
ようにさらに構成される、ＲＡＮノード（１０３）。
【請求項２５】
前記ＲＡＮノード（１０３）は、請求項１８または１９に記載の方法をさらに実行するよう構成される請求項２４に記載のＲＡＮノード（１０３）。
【請求項２６】
通信システム（１００）においてネットワークへのＵＥ（１０１）のアクセスを取り扱うための方法であって、モビリティノード（１０５）が、前記ＵＥ（１０１）によりその時点でアクセスされている訪問先ネットワーク（１００ｖ）内に位置するように構成され、
前記通信システム（１００）は、前記ＵＥ（１０１）、前記モビリティノード（１０５）、加入者サーバ（１０８）、及びＲＡＮノード（１０３）を含み、
前記方法は、
前記ＵＥ（１０１）がカレント訪問先ネットワーク（１００ｖ）へアクセスする際に、前記モビリティノード（１０５）から、前記カレント訪問先ネットワークを通じて、前記ＵＥ（１０１）のホームネットワーク（１００ｈ）内の加入者サーバ（１０８）へ、前記ＵＥ（１０１）についてのアクセス情報を求める要求であって、前記カレント訪問先ネットワーク（１００ｖ）及び前記ＵＥ（１０１）がアクセス可能な少なくとも１つの潜在的な訪問先ネットワークを示すネットワーク情報を含む当該要求を送信すること（３０２，５０１）であって前記ＵＥ（１０１）がアクセス可能な前記潜在的な訪問先ネットワーク（１００ｖ）は、前記カレント訪問先ネットワーク（１００ｖ）に隣接する隣接ネットワークであることと、
前記モビリティノード（１０５）において、前記加入者サーバ（１０８）から、前記要求において示された前記ネットワークのうちの少なくともいくつかについての要求された前記アクセス情報であって、前記要求において示された前記ネットワークのうちの少なくともいくつかについての、前記ＵＥ（１０１）がアクセスすることを許可される許可ネットワークＩＤ及び対応する許可ＲＡＴを含む当該アクセス情報を受信すること（３０４，５０３）と、
前記ＵＥ（１０１）が前記潜在的な訪問先ネットワークのうちの１つへアクセスしようとする際に、前記モビリティノード（１０５）において、以前に受信した前記アクセス情報に基づいて、前記ＵＥ（１０１）が前記潜在的な訪問先ネットワークへアクセスすることを許可されるかを判定すること（５０５）と、
前記ＵＥ（１０１）がカレント訪問先ネットワーク（１００ｖ）へアクセスする際に、前記加入者サーバ（１０８）において、前記訪問先ネットワーク（１００ｖ）内のモビリティノード（１０５）から、前記ＵＥ（１０１）についてのアクセス情報を求める要求であって、前記カレント訪問先ネットワーク（１００ｖ）及び前記ＵＥ（１０１）がアクセス可能な少なくとも１つの潜在的な訪問先ネットワークを示すネットワーク情報を含む当該要求を受信すること（３０２，５０１）と、
前記加入者サーバ（１０８）において、要求された前記アクセス情報であって、前記要求において示された前記ネットワークのうちの少なくともいくつかについての、前記ＵＥ（１０１）がアクセスすることを許可される許可ネットワークＩＤ及び対応する許可制限ＲＡＴを含む当該アクセス情報を取得すること（３０３，５０２）と、
前記加入者サーバ（１０８）から、要求された前記アクセス情報を前記モビリティノード（１０５）へ送信すること（３０４）と、
前記ＲＡＮノード（１０３）において、モビリティノード（１０５）から、アクセス情報であって、前記カレント訪問先ネットワーク（１００ｖ）及び少なくとも１つの潜在的な訪問先ネットワークについての、前記ＵＥ（１０１）がアクセスすることを許可される許可ネットワークＩＤ及び対応する許可ＲＡＴを含む当該アクセス情報を受信すること（３０５）と、
前記ＲＡＮノード（１０３）において、受信した前記アクセス情報に基づいて、受信した前記アクセス情報に合致しないネットワークが前記ＵＥ（１０１）についての潜在的な訪問先ネットワークとして使用されるべきではないと判定すること（３０７）と、
を含む方法。
【請求項２７】
ネットワークへのＵＥ（１０１）のアクセスを取り扱うように構成される通信システム（１００）であって、モビリティノード（１０５）が、前記ＵＥ（１０１）によりその時点でアクセスされている訪問先ネットワーク（１００ｖ）内に位置するように構成され、
通信システム（１００）は、前記ＵＥ（１０１）、前記モビリティノード（１０５）、加入者サーバ（１０８）、及びＲＡＮノード（１０３）を含み、
前記モビリティノード（１０５）は、
前記ＵＥ（１０１）がカレント訪問先ネットワーク（１００ｖ）へアクセスする際に、前記カレント訪問先ネットワークを通じて、前記ＵＥ（１０１）のホームネットワーク（１００ｈ）内の加入者サーバ（１０８）へ、前記ＵＥ（１０１）についてのアクセス情報を求める要求であって、前記カレント訪問先ネットワーク（１００ｖ）及び前記ＵＥ（１０１）がアクセス可能な少なくとも１つの潜在的な訪問先ネットワークを示すネットワーク情報を含む当該要求を送信し、前記ＵＥ（１０１）がアクセス可能な前記潜在的な訪問先ネットワーク（１００ｖ）は、前記カレント訪問先ネットワーク（１００ｖ）に隣接する隣接ネットワークであり、
前記加入者サーバ（１０８）から、前記要求において示された前記ネットワークのうちの少なくともいくつかについての要求された前記アクセス情報であって、前記要求において示された前記ネットワークのうちの少なくともいくつかについての、前記ＵＥ（１０１）がアクセスすることを許可される許可ネットワークＩＤ及び対応する許可ＲＡＴを含む当該アクセス情報を受信し、
前記ＵＥ（１０１）が前記潜在的な訪問先ネットワークのうちの１つへアクセスしようとする際に、以前に受信した前記アクセス情報に基づいて、前記ＵＥ（１０１）が前記潜在的な訪問先ネットワークへアクセスすることを許可されるかを判定する、
ように構成され、
前記加入者サーバ（１０８）は、
前記ＵＥ（１０１）がカレント訪問先ネットワーク（１００ｖ）へアクセスする際に、前記訪問先ネットワーク（１００ｖ）内のモビリティノード（１０５）から、前記ＵＥ（１０１）についてのアクセス情報を求める要求であって、前記カレント訪問先ネットワーク（１００ｖ）及び前記ＵＥ（１０１）がアクセス可能な少なくとも１つの潜在的な訪問先ネットワークを示すネットワーク情報を含む当該要求を受信し、前記ＵＥ（１０１）がアクセス可能な前記潜在的な訪問先ネットワーク（１００ｖ）は、前記カレント訪問先ネットワーク（１００ｖ）に隣接する隣接ネットワークであり、
要求された前記アクセス情報であって、前記要求において示された前記ネットワークのうちの少なくともいくつかについての、前記ＵＥ（１０１）がアクセスすることを許可される許可ネットワークＩＤ及び対応する許可制限ＲＡＴを含む当該アクセス情報を取得し、
要求された前記アクセス情報を前記モビリティノード（１０５）へ送信する、
ように構成され、
前記ＲＡＮノード（１０３）は、
モビリティノード（１０５）から、アクセス情報であって、前記カレント訪問先ネットワーク（１００ｖ）及び少なくとも１つの潜在的な訪問先ネットワークについての、前記ＵＥ（１０１）がアクセスすることを許可される許可ネットワークＩＤ及び対応する許可ＲＡＴを含む当該アクセス情報を受信し、前記ＵＥ（１０１）がアクセス可能な前記潜在的な訪問先ネットワーク（１００ｖ）は、前記カレント訪問先ネットワーク（１００ｖ）に隣接する隣接ネットワークであり、
受信した前記アクセス情報に基づいて、受信した前記アクセス情報に合致しないネットワークが前記ＵＥ（１０１）についての潜在的な訪問先ネットワークとして使用されるべきではないと判定する、
ように構成される通信システム（１００）。
【請求項２８】
少なくとも１つのプロセッサ上で実行されると、前記少なくとも１つのプロセッサに請求項１〜１１のいずれか１項に記載の方法を遂行させる命令、を含むコンピュータプログラム。
【請求項２９】
少なくとも１つのプロセッサ上で実行されると、前記少なくとも１つのプロセッサに請求項１２〜１６のいずれか１項に記載の方法を遂行させる命令、を含むコンピュータプログラム。
【請求項３０】
少なくとも１つのプロセッサ上で実行されると、前記少なくとも１つのプロセッサに請求項１７〜１９のいずれか１項に記載の方法を遂行させる命令、を含むコンピュータプログラム。
【発明の詳細な説明】
【技術分野】
【０００１】
ここでの実施形態は、概して、モビリティノード、モビリティノードにおける方法、加入者サーバ、加入者サーバにおける方法、無線アクセスネットワーク（ＲＡＮ）ノード及びＲＡＮノードにおける方法に関する。より具体的には、ここでの実施形態は、ネットワークへのユーザ機器（ＵＥ）のアクセスの取り扱いに関する。
【背景技術】
【０００２】
各加入者とそのＨ−ＰＬＭＮ（Home-Public  Land  Mobile  Network）との間には関係性が存在する。加入者のための通信が他のＰＬＭＮ上で取り扱われる場合、そのＰＬＭＮは、Ｖ−ＰＬＭＮ（Visited-PLMN）として言及される。ＰＬＭＮは、自身に割り当てられた地理的エリアを有する。その地理的エリアは、ＰＬＭＮエリアとして言及され得る。例えば、ＰＬＭＮは、国の境界により区切られ得る。国ごとに１つよりも多くのＰＬＭＮが存在してもよい。換言すると、ＰＬＭＮエリアは、ＰＬＭＮがＵＥのユーザに対し仕様に従って通信サービスを提供する地理的エリアである。ＵＥによりアクセス可能なＰＬＭＮエリアの集合は、システムエリアとして説明され得る。システムエリア全体にわたってＵＥへサービスの継続性を提供するという主たる目的を伴って、ＰＬＭＮは、ロケーション登録機能を提供するものとされる。
【０００３】
ＵＥは、そのサブスクリプションの資格により認可されたエリア内で、（国内で又は国際的に）ローミングし及びサービスへアクセスし得る。ローミングは、所与のＰＬＭＮ（例えば、Ｈ−ＰＬＭＮ）のＵＥが他のＰＬＭＮ（例えば、Ｖ−ＰＬＭＮ）からサービスを取得することができるようにするサービスとして説明され得る。他のＰＬＭＮは、所与のＰＬＭＮと異なる国にあってもよく又は同じ国にあってもよい。
【０００４】
ロケーション更新手続は、ＵＥが１つのロケーションエリアから次のロケーションエリアに、例えば、Ｈ−ＰＬＭＮからＶ−ＰＬＭＮに、１つのＶ−ＰＬＭＮから他のＶ−ＰＬＭＮに移動するたびに、そのＵＥがセルラーネットワークに通知を行うことを可能にする。このロケーション更新手続は、ロケーションエリア更新（ＬＡＵ）手続、トラッキングエリア更新（ＴＡＵ）手続、又はルーティングエリア更新（ＲＡＵ）手続であり得る。ＬＡＵは、第２世代（２Ｇ）（例えば、ＧＳＭ（Global  System  for  Mobile  communications））において使用され、ＴＡＵは、第３世代（３Ｇ）（例えば、ＵＴＲＡＮ（Universal  Terrestrial  Radio  Access  Network））において使用され、ＲＡＵは、３Ｇ（例えば、Ｅ−ＵＴＲＡＮ（Evolved-UTRAN））において使用される。
【０００５】
サービングＧＰＲＳサポートノード／モビリティ管理エンティティ（ＳＧＳＮ／ＭＭＥ）におけるＵＥ登録の一部として、ＳＧＳＮ／ＭＭＥは、ロケーション更新要求メッセージをホーム加入者サーバ（ＨＳＳ）へ送信する。ＨＳＳからＳＧＳＮ／ＭＭＥへの応答メッセージ、例えば、ロケーション更新応答メッセージにおいて、ＨＳＳは、ＵＥに該当する無線アクセス技術（ＲＡＴ）制限、即ち、どの追加的なＲＡＴによりＵＥがアクセスを許可されるのか、についての情報を含め得る。追加的なＲＡＴは、ＵＥがその時点でサービスを受けようとしているアクセスを補助するものである。ＳＧＳＮ／ＭＭＥは、この情報を使用して、ＵＥについて許可されていないＲＡＴへのアクセス変更を実行する試みを防止し得る
【０００６】
限界は、ＲＡＴ制限についての情報が、全てのＰＬＭＮ  ＩＤ（Public  Land  Mobile  Network  IDentities）／事業者に共通でシグナリングされる点である。結果的な作用として、ＨＳＳは、事業者ごとに差別化されたアクセス制限を適用することができず、受信側ＳＧＳＮ／ＭＭＥは、潜在的なターゲットアクセスのＰＬＭＮ  ＩＤに関係なく同じ制限を適用する。
【０００７】
Ｈ−ＰＬＭＮとしてのＰＬＭＮ−ＸからのＵＥが、Ｅ−ＵＴＲＡＮ内でＰＬＭＮ−１の事業者によりサービスを受けるようになるローミングのシナリオを考察されたい。ＨＳＳは、ＰＬＭＮ−１について有効なローミング協定に合致するに過ぎないアクセス制限をＥ−ＵＴＲＡＮへ提供する。ＵＥはそれと同時に、
１）サブスクリプションにより、ＰＬＭＮ−２の事業者により提供されるＵＴＲＡＮアクセスを使用することを許可されるが、
２）ＰＬＭＮ−２の事業者により提供されるＥ−ＵＴＲＡＮアクセスを使用することを許可されない。
【０００８】
良好なＥ−ＵＴＲＡＮエリアカバレッジを確保するために、ＰＬＭＮ−１の事業者がＰＬＭＮ−２の事業者と協調する場合、この協調は、無線条件にとってそうすることが好ましいならば、ＰＬＭＮ−２においてＥ−ＵＴＲＡＮによりサービスを受けるようＵＥを仕向けることを、ＰＬＭＮ−１の事業者に試みさせるかもしれない。しかしながら、ＵＥは、ＰＬＭＮ−２においてＥ−ＵＴＲＡＮへアクセスすることを許可されていないため、ＰＬＭＮ−２においてＥ−ＵＴＲＡＮによりサービスを受けるようＵＥを仕向ける試みは、失敗するであろう。
【０００９】
ＨＳＳは、ローミング協定の、ＰＬＭＮ  ＩＤごとの適用可能なアクセス制限についての情報を含む。これは、Ｖ−ＰＬＭＮ内のＳＧＳＮ／ＭＭＥがＵＥへサービスすること、及び、ＵＥの事業者のためのローミング協定に合致するアクセス制限を適用することを可能にする。結果として、Ｖ−ＰＬＭＮは、サブスクリプションに則って許可されていないアクセスへＵＥを仕向けることを試行しないはずである。
【００１０】
ＵＥがＶ−ＰＬＭＮ内へローミングする際に、ＨＳＳは、Ｖ−ＰＬＭＮ内のＳＧＳＮ／ＭＭＥへ、ペア（ＰＬＭＮ  ＩＤ，ＲＡＴ制限）のリストの形式のアクセス制限情報を含むロケーション更新応答を送信する。受信側ＳＧＳＮ／ＭＭＥは、この情報を使用して、制限のリスト内のエントリに合致するロケーション／アクセスへＵＥを仕向ける試みを防止する。
【００１１】
しかしながら、そのような資格情報を追加することにより、ＨＳＳの構成とシグナリングとに問題を生じさせる。その理由は、制限のリストが、基本的に、グローバルスケールにおける全てのＲＡＴ及びＰＬＭＮ  ＩＤのリストであるためである。ペア（ＰＬＭＮ  ＩＤ，ＲＡＴ制限）のリストを、訪問先の国にのみ適用可能なエントリと、近隣国内の潜在的に隣接するアクセスとに限定することがたとえ可能であっても、この解決策は、なお不便である。この情報は、ローミング協定を暴露することになるため、潜在的には機密性であり得る。大量のデータのシグナリングは、サイズ及び処理の観点から実現可能ではない。それは、ＨＳＳがグローバルスケールでＶ−ＰＬＭＮ間のローミング関係と共に構成されることを要するはずである。
【発明の概要】
【発明が解決しようとする課題】
【００１２】
したがって、ここでの実施形態の目標は、上記の不利益の少なくとも１つを軽減し、ネットワークへのＵＥのアクセスの、改善された取り扱いを提供することである。
【課題を解決するための手段】
【００１３】
第１の態様によると、この目的は、ネットワークへのＵＥのアクセスを取り扱うための、モビリティノードにより実行される方法により達成される。モビリティノードは、ＵＥによりその時点でアクセスされている訪問先ネットワーク内に位置する。モビリティノードは、ＵＥがカレント訪問先ネットワークへアクセスする際に、訪問先ネットワークを通じて、ＵＥのホームネットワーク内の加入者サーバへ、ＵＥについてのアクセス情報を求める要求を送信する。この要求は、カレント訪問先ネットワーク及びＵＥがアクセス可能な少なくとも１つの潜在的な訪問先ネットワークを示すネットワーク情報を含む。モビリティノードは、加入者サーバから、要求において示されたネットワークのうちの少なくともいくつかについての要求されたアクセス情報を受信する。このアクセス情報は、要求において示されたネットワークのうちの少なくともいくつかについての、ＵＥがアクセスすることを許可される許可ネットワークＩＤ及び対応する許可ＲＡＴを含む。モビリティノードは、ＵＥが潜在的な訪問先ネットワークのうちの１つへアクセスしようとする際に、以前に受信したアクセス情報に基づいて、ＵＥが潜在的な訪問先ネットワークへアクセスすることを許可されるかを判定する。
【００１４】
第２の態様によると、この目的は、ネットワークへのＵＥのアクセスを取り扱うための、加入者サーバにより実行される方法により達成される。加入者サーバは、ＵＥのホームネットワーク内に位置する。加入者サーバは、ＵＥがカレント訪問先ネットワークへアクセスする際に、訪問先ネットワーク内のモビリティノードから、ＵＥについてのアクセス情報を求める要求を受信する。この要求は、カレント訪問先ネットワーク及びＵＥがアクセス可能な少なくとも１つの潜在的な訪問先ネットワークを示すネットワーク情報を含む。加入者サーバは、要求されたアクセス情報を取得する。このアクセス情報は、要求において示されたネットワークのうちの少なくともいくつかについての、ＵＥがアクセスすることを許可される許可ネットワークＩＤ及び対応する許可制限ＲＡＴを含む。加入者サーバは、要求された制限情報をモビリティノードへ送信する。
【００１５】
第３の態様によると、この目的は、ネットワークへのＵＥのアクセスを取り扱うための、ＲＡＮノードにより実行される方法により達成される。ＲＡＮノードは、ＵＥによりその時点でアクセスされている訪問先ネットワーク内に位置する。ＲＡＮノードは、モビリティノードから、アクセス情報を受信する。このアクセス情報は、カレント訪問先ネットワーク及び少なくとも１つの潜在的な訪問先ネットワークについての、ＵＥがアクセスすることを許可される許可ネットワークＩＤ及び対応する許可ＲＡＴを含む。ＲＡＮノードは、受信したアクセス情報に基づいて、受信したアクセス情報に合致しないネットワークがＵＥについての潜在的な訪問先ネットワークとして使用されるべきではないと判定する。
【００１６】
第４の態様によると、この目的は、ネットワークへのＵＥのアクセスを取り扱うように構成されるモビリティノードにより達成される。モビリティノードは、ＵＥによりその時点でアクセスされている訪問先ネットワーク内に位置する、ように構成される。モビリティノードは、ＵＥがカレント訪問先ネットワークへアクセスする際に、訪問先ネットワークを通じて、ＵＥのホームネットワーク内の加入者サーバへ、ＵＥについてのアクセス情報を求める要求を送信するようにさらに構成される。この要求は、カレント訪問先ネットワーク及びＵＥがアクセス可能な少なくとも１つの潜在的な訪問先ネットワークを示すネットワーク情報を含む。モビリティノードは、加入者サーバから、要求において示されたネットワークのうちの少なくともいくつかについての要求されたアクセス情報を受信する、ように構成される。このアクセス情報は、要求において示されたネットワークのうちの少なくともいくつかについての、ＵＥがアクセスすることを許可される許可ネットワークＩＤ及び対応する許可ＲＡＴを含む。モビリティノードは、ＵＥが潜在的な訪問先ネットワークのうちの１つへアクセスしようとする際に、以前に受信したアクセス情報に基づいて、ＵＥが潜在的な訪問先ネットワークへアクセスすることを許可されるかを判定する、ように構成される。
【００１７】
第５の態様によると、この目的は、ネットワークへのＵＥのアクセスを取り扱うように構成される加入者サーバにより達成される。加入者サーバは、ＵＥのホームネットワーク内に位置する、ように構成される。加入者サーバは、ＵＥがカレント訪問先ネットワークへアクセスする際に、訪問先ネットワーク内のモビリティノードから、ＵＥについてのアクセス情報を求める要求を受信するようにさらに構成される。この要求は、カレント訪問先ネットワーク及びＵＥがアクセス可能な少なくとも１つの潜在的な訪問先ネットワークを示すネットワーク情報を含む。加入者サーバは、要求されたアクセス情報を取得する、ように構成される。このアクセス情報は、要求において示されたネットワークのうちの少なくともいくつかについての、ＵＥがアクセスすることを許可される許可ネットワークＩＤ及び対応する許可制限ＲＡＴを含む。加入者サーバは、要求された制限情報をモビリティノードへ送信する、ように構成される。
【００１８】
第６の態様によると、この目的は、ネットワークへのＵＥのアクセスを取り扱うように構成されるＲＡＮノードにより達成される。ＲＡＮノードは、ＵＥによりその時点でアクセスされている訪問先ネットワーク内に位置する、ように構成される。ＲＡＮノードは、モビリティノードから、アクセス情報を受信するようにさらに構成される。このアクセス情報は、カレント訪問先ネットワーク及び少なくとも１つの潜在的な訪問先ネットワークについての、ＵＥがアクセスすることを許可される許可ネットワークＩＤ及び対応する許可ＲＡＴを含む。ＲＡＮノードは、受信したアクセス情報に基づいて、受信したアクセス情報に合致しないネットワークがＵＥについての潜在的な訪問先ネットワークとして使用されるべきではないと判定する、ように構成される。
【発明の効果】
【００１９】
モビリティノードが、加入者サーバへ送信される要求において、全ての潜在的な訪問先ネットワークを含めるため、加入者サーバは、その情報の全てから適用可能な関係をフィルタリングすることと、関連する潜在的な訪問先ネットワークについての関連付けられた許可ネットワークＩＤ及びＲＡＴのみを返すことと、が可能になる。これにより、モビリティノードが加入者サーバからの情報に基づいてＵＥが潜在的な訪問先ネットワークへアクセスすることを許可されるかを判定することが可能になることで、ネットワークへのＵＥのアクセスの取り扱いが改善される。
【００２０】
ここでの実施形態は、多くの利点をもたらし、そのうちの例の非網羅的なリストは以下の通りである。
【００２１】
ＲＡＴ制限についての情報と、ネットワークＩＤとの組み合わせの利点は、次の通りであってよい：
−  これは、モビリティノードがエンドユーザへのサービスの中断を防止することを可能にし得る。
−  これは、事業者がローミング協定においてより良好な差別化を適用することを可能にし得る。
−  これは、ローミング協定における差別化の使用時に、シグナリング／手続の失敗（ＫＰＩ（Key  Performance  Indicator）への影響）を少なくさせ得る。
【００２２】
カレントサービングモビリティノードに、関連するネットワークＩＤのリストを加入者サーバへ提供させることの利点は、以下の通りであり得る。
−  加入者サーバは、訪問先ネットワークにおいてローミング関係と共に構成されなくてもよい。それ自体のローミング協定についての情報で充分である。
−  これは、要求メッセージへの応答が関連する制限のみの限られたリストを含むことを可能にし得る。それにより、応答メッセージに対するシグナリング及び処理のインパクトが最小化される。
−  これは、モビリティノード及び加入者サーバにおけるシグナリング及び処理の負荷を引き下げ得る。
【００２３】
ＲＡＮノード又はワイヤレスアクセスノードへ制限情報を提供することの利点は、以下の通りであり得る。
−  ＲＡＮノード又はワイヤレスアクセスノードは、ＵＥモビリティ／アクセス変更を、許可されたターゲットのみに制限し得る。ＵＥは、ＲＡＮノード又はワイヤレスアクセスノードによる、許可されていないターゲットに当該ＵＥを仕向ける無駄な試みを原因としてサービスを妨害されない
−  ＲＡＮノード又はワイヤレスアクセスノードは、ハンドオーバ向けの準備として、及び、アイドルモードでの移動の“リダイレクションを伴う解放”向けの準備として、ＵＥに許可されたターゲットセルのみのセル測定を実行するように指示することを可能にされ得る。
−  （ＲＡＮノード又はワイヤレスアクセスノードがハンドオーバを試みるものの、ターゲットが許可されない場合にモビリティノードがハンドオーバを中止することに起因する）ハンドオーバ失敗からのＫＰＩへの影響がない。
【００２４】
ここでの実施形態は、上述の特徴及び利点に限定されない。当業者は、以下の詳細な説明を読むと、追加的な特徴及び利点を認識するであろう。
【図面の簡単な説明】
【００２５】
次に、ここでの実施形態について、これらの実施形態を示し、且つ、以下の図を含む添付の図面を参照して、以下の詳細な説明において、より詳細にさらに説明する。
【００２６】
【図１】通信システムの実施形態を示す概略ブロック図である。
【図２】通信システムの実施形態を示す概略ブロック図である。
【図３】方法の実施形態を示すシグナリング図である。
【図４】ネットワークエレメント及びリファレンスポイントを示す概略ブロック図である
【図５】方法の実施形態を示すシグナリング図である。
【図６】モビリティノードにより実行される方法の実施形態を示すフローチャートである。
【図７】モビリティノードの実施形態を示す概略ブロック図である。
【図８】加入者サーバにより実行される方法の実施形態を示すフローチャートである。
【図９】加入者サーバの実施形態を示す概略ブロック図である。
【図１０】ＲＡＮノード又はワイヤレスアクセスノードにより実行される方法の実施形態を示すフローチャートである。
【図１１】ＲＡＮノード又はワイヤレスアクセスノードの実施形態を示す概略ブロック図である。
【００２７】
これらの図は、必ずしも等尺ではなく、明瞭にするために或る特徴の寸法が誇張されていることがあり得る。代わりに、ここでの実施形態の原理の描写に強調が加えられている。
【発明を実施するための形態】
【００２８】
ここでの実施形態は、訪問先ネットワーク（例えば、Ｖ−ＰＬＭＮ）内のモビリティノード（例えば、ＳＧＳＮ／ＭＭＥに代表される）に、加入者サーバ（例えば、ＨＳＳ）へ送信されるロケーション更新要求メッセージにおいて、全ての潜在的なハンドオーバターゲットネットワーク（例えば、複数のＰＬＭＮ）についての情報を包含させることにより、現行の技術の欠点に対処している。
【００２９】
モビリティノードは、ハンドオーバ及び最適化されるアイドルモードモビリティを可能にするために、既に、重複ネットワーク及び隣接ネットワークについての情報と共に構成されているかもしれず、加入者サーバへ送信されるメッセージ（例えば、ロケーション更新要求メッセージ）において、関連するネットワークＩＤのリストを含める。
【００３０】
加入者サーバは、このメッセージを受信し、その、グローバルなローミング協定のリストから、適用可能な関係をフィルタリング出力し、制限を有するペアのリスト、即ち、許可ネットワークＩＤ及び対応する許可ＲＡＴのリストを作成する。
【００３１】
加入者サーバは、アクセス情報（許可ネットワークＩＤ及び対応する許可ＲＡＴ）のフィルタリングされたリストを含むメッセージ（例えば、ロケーション更新応答メッセージ）を用いてモビリティノードに応答する。
【００３２】
モビリティノードは、関連するアクセス制限の、受信した新たなアクセス情報を使用して、ＲＡＮノードによる、制限されたターゲットへのハンドオーバの試みを防止し、よって、ＵＥへのサービスの中断の理由を回避する。
【００３３】
加えて、ここでの実施形態は、モビリティノードがこの新たなアクセス情報をＲＡＮノードへ転送することを可能にし得る。これにより、ＲＡＮノードは、接続モードにある場合には、制限されたターゲットへのハンドオーバを開始しないこと、アイドルモードにある場合には、制限されたターゲットへの“リダイレクションを伴う解放”を実行しないこと、が可能になり得る。
【００３４】
図１は、ここでの実施形態が実装され得る通信システム１００を描いている。通信システム１００は、いくつかの実施形態において、例えば、ＬＴＥ（Long  Term  Evolution）、ＬＴＥアドバンスト、ＷＣＤＭＡ（Wideband  Code  Division  Multiple  Access）、ＧＳＭ、若しくは任意の他の第３世代パートナーシッププロジェクト（３ＧＰＰ）無線アクセス技術といった１つ以上の無線アクセス技術に、又は、例えば、Ｗ−Ｆｉ若しくはワイヤレスローカルエリアネットワーク（ＷＬＡＮ）及びＣＤＭＡ（Code  Division  Multiple  Access）といった他の無線アクセス技術に、該当し得る。通信システム１００は、例えば、ワイヤレス通信ネットワーク、ワイヤレス通信システム、通信ネットワーク、通信システム、ネットワーク、又はシステムとして言及されてもよい。通信システム１００は、１つ以上のコアネットワーク（ＣＮ）及び無線アクセスネットワーク（ＲＡＮ）を含み得る。
【００３５】
図１に示される通信システム１００は、ホームネットワーク１００ｈ及び訪問先ネットワーク１００ｖに分割され得る。図１の水平な点線は、ホームネットワーク１００ｈと訪問先ネットワーク１００ｖとの間の境界を示している。ホームネットワーク１００ｈは、ＵＥ１０１のホームネットワークであり、Ｈ−ＰＬＭＮホームサービスセット（Ｈ−ＳＳ）、又はホームワイヤレスＬＡＮ（Ｈ−ＷＬＡＮ）などとして言及されてもよい。訪問先ネットワーク１００ｖは、ＵＥ１０１によって訪問されるネットワークであり、Ｖ−ＰＬＭＮ、訪問先ＳＳ（Ｖ−ＳＳ）、又は訪問先ＷＬＡＮ（Ｖ−ＷＬＡＮ）などとして言及されてもよい。図１は、ＵＥ１０１が訪問先ネットワーク１００ｖを訪問する際のシナリオを示す。
【００３６】
ホームネットワーク１００ｈは、ネットワークＩＤを用いて識別され得る。ネットワークＩＤは、例えば、ＰＬＭＮ  ＩＤ、サービスセット識別子（ＳＳＩＤ）、ＷＬＡＮ  ＩＤ、又はいずれかの他の適切な、ホームネットワーク１００ｈの一意のＩＤであり得る。同様に、訪問先ネットワーク１００ｖもまた、ネットワークＩＤ、例えば、ＰＬＭＮ  ＩＤ、ＳＳＩＤ、ＷＬＡＮ  ＩＤ、又は任意の他の適切な、訪問先ネットワーク１００ｖの一意の識別情報を用いて識別され得る。
【００３７】
これら実施形態は、混成ネットワークに適用され、混成ネットワークとは、ネットワークが、３ＧＰＰネットワークか、ＷＬＡＮか、又は、ＣＤＭＡといった他の非３ＧＰＰネットワークであってよいこと、即ち、ネットワークがＰＬＭＮで必ずしも識別されなくてよく、むしろ、ネットワークを識別するために、以前に説明したような、例えばＳＳＩＤ、ＷＬＡＮ  ＩＤなどの他の適用可能な識別子が使用されてよいこと、を意味する。
【００３８】
上述のように、通信システム１００は、ＵＥ１０１を含む。ＵＥ１０１が訪問先ネットワーク１００ｖ内に位置するときに、ＵＥは、訪問先ネットワーク１００ｖ内のＲＡＮノード１０３によりサービスを受ける。ＲＡＮノード１０３は、ワイヤレスアクセスノードとして言及されてもよい。以下において、ＲＡＮノード、ワイヤレスアクセスノード、ＲＡＮノード／ワイヤレスアクセスノードという用語は、相互に交換可能に使用されてよい。ＲＡＮノード１０３は、例えば、発展型ノードＢ（ｅＮＢ）、ノードＢ（ＮＢ）、基地局コントローラ（ＢＳＣ）、無線ネットワークコントローラ（ＲＮＣ）、ＴＷＡＧ（Trusted  Wireless  Access  Gateway）、又はｅＰＤＧ（evolved  Packet  Data  Gateway）などであり得る。
【００３９】
ＵＥ１０１は、事業者のネットワークにより提供されるサービス、並びに、事業者の無線アクセスネットワーク及びコアネットワークがアクセス、例えばインターネットへのアクセス、を提供する、事業者のネットワーク外のサービスに、加入者がそれを用いてアクセスし得るデバイスであり得る。ＵＥ１０１は、通信ネットワーク内での通信を可能にされた、モバイル型又は据え置き型の任意のデバイス、例えば、限定ではないものの、例えば、ユーザ機器、モバイルフォン、スマートフォン、センサ、メータ、車両、家庭用器具、医療用器具、メディアプレーヤー、カメラ、マシンツーマシン（Ｍ２Ｍ）デバイス、デバイスツーデバイス（Ｄ２Ｄ）デバイス、ＩｏＴ（Internet  of  Things）デバイスであってもよく、又は、任意のタイプの民生電子機器、例えば、限定ではないものの、テレビ受像機、無線機、照明設備、タブレットコンピュータ、ラップトップコンピュータ、若しくはパーソナルコンピュータ（ＰＣ）であってもよい。ＵＥ１０１は、他のデバイス又はサーバといった他のエンティティと、無線アクセスネットワークを介して音声及び／又はデータを通信することが可能にされた、携帯型、ポケット収容型、手持ち式、コンピュータ内蔵型、又は車両搭載型のデバイスであってもよい。
【００４０】
訪問先ネットワーク１００ｖにおいて、ＲＡＮノード１０３は、モビリティノード１０５へ接続され得る。モビリティノード１０５もまた、訪問先ネットワーク１００ｖ内に位置する。モビリティノード１０５は、ＵＥ１０１のモビリティ、ローミング認証などを取り扱うように構成されるノードである。モビリティノード１０５は、例えば、ＭＭＥ、ＳＧＳＮ、組み合わされたＭＭＥ及びＳＧＳＮノード（ＭＭＥ及びＳＧＳＮは、これらが組み合わされる場合、１つのノード内に共設される）、ＴＷＡＧ、又はｅＰＤＧであってもよい。いくつかの実施形態において、モビリティノード１０５は、１つ以上の機能を実装するノードとして理解されてもよい。その機能が仮想的な機能として記述されてもよい。その機能は、ＭＭＥ機能、ＳＧＳＮ機能、ＴＷＡＧ機能、ｅＰＤＧ機能であり得る。
【００４１】
訪問先ネットワーク１００ｖ内のモビリティノード１０５は、ホームネットワーク１００ｈ内の加入者サーバ１０８へ接続され得る。加入者サーバ１０８は、例えば加入者プロファイルといった、加入者に関連する情報を管理する、ように構成されるノードである。加入者サーバ１０８は、例えば、ＨＳＳ、ホームロケーションレジスタ（ＨＬＲ）、認証センター（ＡｕＣ）、又は、ＡＡＡ（Authentication,  Authorization,  and  Accounting）サーバであり得る。
【００４２】
通信ネットワーク内の通信リンクが、ワイヤードリンク又はワイヤレスリンクのいずれかを含む、任意の適切な種類のものであってよいことに留意されるべきである。このリンクは、当業者に理解されるように、（例えば、ＯＳＩ（Open  Systems  Interconnection）モデルにより示されるような）レイヤのタイプ及びレベルに依存して、任意の適切なプロトコルを使用してよい。
【００４３】
次に、図２を参照して、図１の通信システム１００ａの、より詳細な例示的な実施形態について説明する。図２の例示的な実施形態は、図１において見られる通信システム１００の、より詳細なバージョンである。図２は、３ＧＰＰアクセスのためのローミングアーキテクチャの例示的な一実施形態を示す。図２において、ホームネットワーク１００ｈは、Ｈ−ＰＬＭＮ１００ｈによって表され、訪問先ネットワーク１００ｖは、Ｖ−ＰＬＭＮ１００ｖによって表される。図２の点線は、Ｈ−ＰＬＭＮ１００ｈとＶ−ＰＬＭＮ１００ｖとの間の境界を示す。図２ではＰＬＭＮが一例として使用されているが、ここでの実施形態は、任意の他のタイプのネットワーク、例えば、３ＧＰＰネットワーク、非３ＧＰＰネットワーク、ＷＬＡＮなどに等しく適用可能である。
【００４４】
図２は、Ｖ−ＰＬＭＮ１００ｖ内のＥ−ＵＴＲＡＮ２０３を示す。Ｅ−ＵＴＲＡＮ２０３は、図１内のＲＡＮノード１０３（図２には図示せず）といった要素を含む。先述のように、ＲＡＮノード１０３は、例えば、基地局、ＮｏｄｅＢ、ｅＮｏｄｅＢ、ｅＮＢ、ＲＮＣ、ＢＳＣなどであり、又は、ＵＥ１０１と通信することが可能な任意の他のエレメントであってよい。ＵＥ１０１とＥ−ＵＴＲＡＮ２０３（及びＲＡＮノード１０３も）との間のリファレンスポイントは、ＬＴＥ−Ｕｕとして言及され得る。
【００４５】
Ｖ−ＰＬＭＮ１００ｖ内に位置するＭＭＥ２０５は、リファレンスポイントＳ１−ＭＭＥを介してＥ−ＵＴＲＡＮ２０３へ接続され得る。ＭＭＥ２０５は、例えば、ＮＡＳ（Non-Access  Stratum）シグナリング、３ＧＰＰアクセスネットワーク間のモビリティのためのＣＮノード間シグナリング、ＵＥ到達可能性、トラッキングエリア（ＴＡ）リスト管理、パケットデータネットワークゲートウェイ（ＰＧＷ）及びサービングゲートウェイ（ＳＧＷ）の選択、ＭＭＥ変更を伴うハンドオーバのためのＭＭＥ選択などといった機能を有するエレメントである。Ｓ１０は、ＭＭＥリロケーション及びＭＭＥからＭＭＥへの情報移送のための、いくつかのＭＭＥ２０５間におけるリファレンスポイントである。ＭＭＥ２０５は、図１に示されるモビリティノード１０５の一例である。
【００４６】
ＳＧＳＮ２０８は、その地理的サービスエリア内において、ＵＥ１０１からの、及びＵＥ１０１へのデータパケットの配信を担うように構成される、Ｖ−ＰＬＭＮ内のノードである。ＳＧＳＮ２０８の機能のうちの１つが、２Ｇ／３ＧアクセスネットワークとＥ−ＵＴＲＡＮ２０３の３ＧＰＰアクセスネットワークとの間のモビリティのためにシグナリングを提供することである。２Ｇ／３Ｇアクセスネットワークは、図２のＧＥＲＡＮ（GSM  EDGE  Radio  Access  Network）２１０及びＵＴＲＡＮ２１３により例示される。ＥＤＧＥは、ＧＳＭ進化型高速データレートの短縮形である。ＳＧＳＮ２０８のいくつかのさらなる機能は、パケットのルーティング及び移送、モビリティ管理（アタッチ／デタッチ及びロケーション管理）、論理リンク管理、並びに、認証及び課金機能などを取り扱うことである。Ｓ３は、ＳＧＳＮ２０８とＭＭＥ２０５との間のインタフェースである。いくつかの実施形態において、ＳＧＳＮ２０８及びＭＭＥ２０５は、１つのノード内に共設される。このテキストにおいて、ＭＭＥ／ＳＧＳＮという用語は、独立型ＭＭＥ２０５か、独立型ＳＧＳＮ２０８か、又は、組み合わされたＭＭＥ２０５及びＳＧＳＮ２０８のノードのうちのいずれか１つを指す。ＳＧＳＮ２０８は、図１のモビリティ管理ノード１０５の一例であり得る。
【００４７】
図２のＶ−ＰＬＭＮ１００ｖ内には、１つのゲートウェイ、即ちＳＧＷ２１５が位置している。ＳＧＷ２１５は、Ｅ−ＵＴＲＡＮ２０３に向けてのインタフェースの終端をなすゲートウェイである。ハンドオーバ中における、ベアラごとのユーザプレーントンネリング及びｅＮｏｄｅＢ間経路スイッチングのための、ＳＧＷ２１５とＥ−ＵＴＲＡＮ２０３との間のリファレンスポイントは、Ｓ１−Ｕとして言及されてもよい。ＳＧＷ２１５は、ｅＮｏｄｅＢ間ハンドオーバ中においてユーザプレーンのためのモビリティアンカーとしても、及び、ＬＴＥと他の３ＧＰＰ技術との間のモビリティのためのアンカーとしても働きつつ、ユーザのデータパケットをルーティングし及び転送する。Ｓ１１は、ＳＧＷ２１５とＭＭＥ２０５との間のリファレンスポイントである。Ｓ４は、ＳＧＷ２１５とＳＧＳＮ２０８との間のリファレンスポイントである。Ｓ１２は、ＳＧＷ２１５とＵＴＲＡＮ２１３との間のリファレンスポイントである。
【００４８】
ＰＧＷ２１８は、パケットデータネットワーク（ＰＤＮ）に向けてのＳＧｉインタフェースの終端をなす、Ｈ−ＰＬＭＮ２００ｈ内のゲートウェイである。ＰＤＮは、図２において、Ｈ−ＰＬＭＮ１００ｈ内の事業者のＩＰサービス（例えば、ＩＭＳ、ＰＳＳなど）２２０により示されている。ＩＰは、インターネットプロトコルの短縮形であり、ＩＭＳは、ＩＰマルチメディアサブシステム又はＩＭマルチメディアコアネットワークサブシステムの短縮形であり、ＰＳＳは、パケット交換ストリーミングの短縮形である。ＵＥ１０５が複数個のＰＤＮへアクセスしている場合、そのＵＥ１０１について、１つよりも多くのＰＧＷ２１８が存在し得る。ＰＧＷ２１８の機能は、ＵＥ１０１についてのトラフィックの出口ポイント及び入口ポイントとなり、ポリシー施行、各ユーザについてのパケットフィルタリング、課金サポート、合法的傍受、及びパケットスクリーニングなどを実行することにより、例えば、ＵＥ１０１から外部のＰＤＮへの接続性を提供している。Ｓ５は、ＳＧＷ２１５とＰＧＷ２１８との間のユーザプレーントンネリング及びトンネル管理を提供するリファレンスポイントである。
【００４９】
ＨＳＳ２２５は、Ｈ−ＰＬＭＮ１００ｈ内に位置し、ＧＳＭホームロケーションレジスタ（例えばＨＬＲ）及びＡｕＣに類似する加入者サーバノードである。ＨＳＳ２２５は、加入者関連情報（加入者プロファイル）を含み、ユーザの認証（authentication）及び認可（authorization）を実行し、加入者のロケーションについての情報及びＩＰ情報を提供し得る。リファレンスポイントＳ６ａは、ＭＭＥ２０８と２２５との間における、発展型システムへのユーザのアクセスを認証／認可するためのサブスクリプションデータ及び認証データの移送を可能にする。ＨＳＳ２２５が、図２では単に一例として示されており、ＨＳＳ２２５の代わりに、例えばＨＬＲなどといった任意のタイプの加入者データベースが使用されてよいことに留意されたい。ＨＳＳ２２５は、図１の加入者データベース１０５の一例である。
【００５０】
ポリシー及び課金ルール機能（ＰＣＲＦ）２３０は、Ｈ−ＰＬＭＮ１００ｈ内に位置し、ポリシー及び課金制御のエレメントである。ＰＣＲＦ２３０は、ポリシー制御決定及びフローベースの課金制御の機能性を包含し、サービスデータフローの検出、ゲーティング、サービス品質（ＱｏＳ）及びフローベースの課金などに関し、ネットワーク制御を提供する。ＰＣＲＦ２３０は、独立型ノードであり得る機能エンティティとして、又は、他のノード内で実装される機能として記述されてよい。リファレンスポイントＧｘは、ＰＣＲＦ２３０からＰＧＷ２１８内のポリシー及び課金施行機能（ＰＣＥＦ）への、（例えばＱｏＳ）ポリシー及び課金ルールの移送を提供する。Ｒｘは、ＰＣＲＦ２３０と事業者のＩＰサービス２２０との間に所在するリファレンスポイントである。Ｒｘリファレンスポイントは、ＰＣＲＦ２３０とアプリケーション機能（ＡＦ）（図示せず）との間でアプリケーションレベルのセッション情報を交換するために使用される。
【００５１】
要約すると、図２に例示され、ＵＥ１０１のホームネットワークであるＨ−ＰＬＭＮ１００ｈは、ＨＳＳ２２５、ＰＧＷ２１８、ＰＣＲＦ２３０、及び事業者のＩＰサービス２２０を含む。図２に例示され、ＵＥ１０１により訪問されるＶ−ＰＬＭＮ２００ｖは、ＵＥ１０１、Ｅ−ＵＴＲＡＮ２０３、ＭＭＥ２０５、ＳＧＳＮ２０８、及びＳＧＷ２１２５を含む。
【００５２】
図１及び図２に見られる通信システム内の通信リンクが、ワイヤードリンク又はワイヤレスリンクのいずれかを含む、任意の適切な種類のものであってよいことに留意されるべきである。このリンクは、当業者によって理解されるように、（例えば、ＯＳＩモデルにより示されるような）レイヤのタイプ及びレベルに依存して、任意の適切なプロトコルを使用してよい。
【００５３】
次に、図３に描かれるシグナリング図を参照して、いくつかの実施形態に係る、ネットワークへのＵＥ１０１のアクセスを取り扱うための方法について説明する。図３の方法は、図１の通信システム１００の例示的な実施形態を一例として使用する。図３の方法は、以下のステップの少なくともいくつかを含み、これらのステップは、以下に説明する順序以外の他の適切な順序で実行されてもよい。
【００５４】
＜ステップ３０１＞
訪問先ネットワーク１００ｖ内のモビリティノード１０５は、ＵＥ１０１が訪問先ネットワーク１００ｖへアクセスしたことを検出する。換言すると、ＵＥ１０１は、例えば、ホームネットワーク１００ｈから訪問先ネットワーク１００ｖに移動した。このことは、ＵＥ１０１が訪問先ネットワーク１００ｖ内に入ったこと、ＵＥ１０１がホームネットワーク１００ｈから訪問先ネットワーク１００ｖへハンドオーバされたこと、ＵＥ１０１がモビリティノード１０５への登録を行うこと、ＵＥ登録をあるネットワーク内のコアノードから他のネットワーク内のコアノードへ移動させることができること、ネットワーク変更が存在すること、などとして記述されてもよい。このことは、接続状態におけるＵＥ１０１及びアイドル状態におけるＵＥ１０１の両方にあてはまる。
【００５５】
＜ステップ３０２＞
ＵＥ１０１が訪問先ネットワーク１００ｖへアクセスしたことをモビリティノード１０５が検出すると、モビリティノード１０５は、ＵＥ１０１のホームネットワーク１００ｈ内の加入者サーバ１０８へ要求メッセージを送信する。要求メッセージは、特定のＵＥ１０１についてのアクセス情報を求める要求である。要求メッセージは、ネットワーク情報を含む。ネットワーク情報は、ＵＥ１０１が訪問している訪問先ネットワーク１００ｖと、ＵＥ１０１がアクセス可能な少なくとも１つの潜在的な訪問先ネットワークとを示す。潜在的な訪問先ネットワークは、潜在的に訪問されるネットワークとして言及されてもよい。
【００５６】
ネットワーク情報は、ネットワークのＩＤ、例えば、ＰＬＭ  ＩＤ、ＳＳＩＤなどを含む。これらのＩＤは、リストの形式で、又は、情報を編成する任意の他の適切なセットの形式で、編成されてよい。訪問先ネットワーク１００ｖ及び潜在的な訪問先ネットワーク１００ｖは、相異なるタイプのネットワーク識別子を使用してもよい。これらのネットワークのうちの一方がＰＬＭＮ  ＩＤを使用してもよく、他方が例えばＳＳＩＤを使用してもよい。いくつかの実施形態において、各ネットワークＩＤに関連付けられるＲＡＴのタイプもまた、ネットワーク情報内に含まれる。
【００５７】
潜在的な訪問先ネットワークは、訪問先ネットワーク１００ｖに隣接する隣接ネットワークであってもよく、又は、訪問先ネットワーク１００ｖに地理的に重複する重複ネットワークであってもよい。訪問先ネットワーク１００ｖは、カレント訪問先ネットワークとしても記述されてよく、ＵＥ１０１がその時点で訪問しているネットワークである。潜在的な訪問先ネットワークは、ネットワーク変更時における潜在的なＵＥターゲットネットワークとして言及されてもよい。
【００５８】
要求メッセージ内で送信される情報は、訪問先ネットワーク１００ｖ及び潜在的な訪問先ネットワークの両方がＶ−ＰＬＭＮである場合には、テーブル１の通りであってよい：
【００５９】
【表１】
0006554177.tif 000002
【００６０】
＜ステップ３０３＞
加入者サーバ１０８は、モビリティノード１０５から上記要求メッセージを受信し、要求されたアクセス情報を取得する。加入者サーバ１０８は、ローミング協定のネットワークＩＤごとのアクセス制限についての情報、即ち、グローバルスケールにおける全てのＲＡＴ及びネットワークについての情報を含む。この情報は、ここでの実施形態に係る方法の実行前における、より早期の時点において、加入者サーバ１０８に記憶されていてよい。この情報は、ホーム事業者がローミング協定を結んでいるネットワークか、又は、ホーム事業者自体のネットワークであるネットワークを示し得る。
【００６１】
以下のテーブル２では、加入者サーバ１０８における、この記憶された情報の一例が見られ得る。
【００６２】
【表２】
0006554177.tif 000003
【００６３】
要求されたアクセス情報を取得するために、加入者サーバ１０８は、全てのＲＡＴ及びネットワークについての情報（即ち、テーブル２内の情報）をフィルタリングして、ステップ３０２からの要求において示された訪問先ネットワーク１００ｖ及び潜在的な訪問先ネットワークに適用可能な情報のみを取得する。その場合、取得される情報は、要求において示されたネットワークのうちの少なくともいくつかについての、ＵＥ１０１がアクセスすることを許可される許可ネットワークＩＤ及び対応する許可ＲＡＴを示す情報である。
【００６４】
取得されるアクセス情報は、以下の、テーブル３：ＵＥ１０１向けのアクセス情報、に例示される通りであってよい。テーブル３では、左列において、潜在的な訪問先ネットワークについての、ＵＥ１０１がアクセスすることを許可されるネットワークＩＤが見られ、許可ＲＡＴが許可ＩＤに関連付けられている。以下のテーブルから、許可ネットワークＩＤ及び許可ＲＡＴがペアに編成されていることが分かる。このことは、許可ネットワークＩＤが少なくとも１つの許可ＲＡＴに関連付けられること、許可ネットワークＩＤが対応する許可ＲＡＴを有すること、又は、許可ＲＡＴが対応するネットワークＩＤを有すること、としても記述されてもよい。
【００６５】
【表３】
0006554177.tif 000004
【００６６】
＜ステップ３０４＞
加入者サーバ１０８は、アクセス情報（テーブル３：ＵＥ１０１向けのアクセス情報、内の情報）を、モビリティノード１０８へ送信する。アクセス情報の送信は、ステップ３０２における要求メッセージへの応答である応答メッセージにおいて送信されてもよい。アクセス情報は、要求において示されたネットワークのうちの少なくともいくつかについての、ＵＥ１０１がアクセスすることを許可される許可ネットワークＩＤ及び対応する許可ＲＡＴを含む。
【００６７】
送信される情報は、肯定的な結果、即ち、ＵＥ１０１がアクセスを試みるならばアクセスが認められる場合を表現する。送信される情報は、ステップ３０２における要求において提供された情報に合致する、全てのローミング協定のうちのサブセットに、ＵＥのホーム事業者自体の適用可能なアクセスを加えたものとして記述されてもよい。
【００６８】
いくつかの実施形態では、アクティブまＲＡＴ制限を伴うＰＬＭＮのみが、加入者サーバ１０８により送信されるべきである。
【００６９】
情報は、値ペア［ネットワークＩＤ（＝ＰＬＭＮ  ＩＤ），ＲＡＴのタイプ］の形式で送信されてもよい。よって、ここに、ネットワークＩＤとＲＡＴとの間の関係が生じる。
【００７０】
＜ステップ３０５＞
モビリティノード１０８は、アクセス情報をＲＡＮノード１０３へ送信し得る。いくつかの実施形態において、モビリティノード１０８は、アクセス情報のいかなる処理も行わずに、この情報をＲＡＮノード１０３へ転送する。他の実施形態において、モビリティノード１０８は、情報を処理し又は再編成した後に、この情報をＲＡＮノード１０３へ送信してもよい。このステップ３０５は、ステップ３０４の後に又はステップ３０６の後に実行されてよい。
【００７１】
＜ステップ３０６＞
ＵＥ１０１が特定の潜在的な訪問先ネットワークへアクセスしようとする際に、モビリティノード１０５は、ＵＥ１０１がこの特定の潜在的な訪問先ネットワークへアクセスすることを許可されるかを判定する。この決定は、ステップ３０５において受信した情報に基づいて行われる。例えば、ＵＥ１０１がアクセスしようとしている特定の潜在的な訪問先ネットワークがＶ−ＰＬＭＮ＿３であり、ＲＡＴがＧＥＲＡＮである場合、モビリティノード１０５は、テーブル３：ＵＥ１０１向けのアクセス情報、から、Ｖ−ＰＬＭＮ＿３及びＧＥＲＡＮがＵＥ１０１について許可されることを知る。
【００７２】
例えば、ターゲットＰＬＭＮのＩＤは、隣接ネットワークのリスト内の、受信したＰＬＭＮ  ＩＤに合致し、ターゲットノードのＲＡＴは、そのターゲットＰＬＭＮ内の当該ＵＥ１０１についてアクティブなＲＡＴ制限に合致する。
【００７３】
ここでの実施形態は、値ペア［ネットワークＩＤ，ＲＡＴのタイプ］（例えば、［ＰＬＭＮ  ＩＤ，ＲＡＴのタイプ］）によって“潜在的な訪問先ネットワーク”を示しており、全ての比較時において、或る値ペアを他の値ペアと突き合わせる。比較の成功とは、或るペアが他のペアに合致する場合、即ち、両方の値が個々に合致する場合である。
【００７４】
＜ステップ３０７＞
ステップ３０５において受信した情報に基づいて、ＲＡＮノード１０３は、特定のネットワークが潜在的な訪問先ネットワークとして使用されるべきではないと判定する。ステップ３０７は、ステップ３０５の直後又はステップ３０６の後に実行されてよい。このことは、当該情報を使用して、ＵＥ１０１についての潜在的なターゲットとしてそれらを回避することを含み得る。
−  アクセス制限を、セル測定から除外する。
−  アクセス制限を、ハンドオーバターゲットとして除外する。
−  ＲＡＮノード１０３が、ネットワークへのそのＵＥ１０１の無線アクセスを解放する場合において、アクセス制限を、リダイレクションターゲットとして除外する。
【００７５】
図４は、ここでの実施形態に適用可能なネットワークエレメント及びリファレンスポイントを示す概略ブロック図である。図４は、一例として図２の通信システム１００の例示的な実施形態を使用する。図４では、その左側に、ＵＥ１０１が訪問するＶ−ＰＬＭＮ＿１を見ることができる。Ｖ−ＰＬＭＮ１は、ＳＧＳＮ２０８を含む。図２のＶ−ＰＬＭＮ＿２は、ＭＭＥ２０５を含み、ＵＥ１０１がアクセス可能な潜在的な訪問先ネットワーク１００ｖである。ＵＥ１０１のホームネットワークＨ−ＰＬＭＮ１００ｈは、図４の右手に見ることができ、ＨＳＳ２２５を含む。カレント訪問先ネットワーク１００ｖ内のＳＧＳＮ２０８ととの間のリファレンスポイントは、Ｓ６ｄ又はＧｒとして言及される。潜在的な訪問先ネットワーク内のＭＭＥ２０５とＨＳＳ２２５との間のリファレンスポイントは、Ｓ６ａとして言及される。ＵＥ１０１のＰＬＭＮ間変更は、図４の点線矢印で示され、カレント訪問先ネットワークＶ−ＰＬＭＮ＿１と潜在的な訪問先ネットワークＶ−ＰＬＭＮ＿２との間で行われ得る。いくつかの例示的な実施形態において、ＰＬＭＮ間変更は、ＵＥ１０１のＰＬＭＮ間ハンドオーバ又はＵＥ１０１のＰＬＭＮ間移動として言及され得る。
【００７６】
次に、図５に描かれるシグナリング図を参照して、いくつかの実施形態に係る、ネットワークへのＵＥ１０１のアクセスを取り扱うための方法について説明する。図５の方法は、図２及び図４の通信システム１００の例示的な実施形態を一例として使用する。図５の方法は、以下のステップのうちの少なくともいくつかを含み、これらのステップは、以下に説明する順序以外の他の適切な順序で実行されてもよい。
【００７７】
＜ステップ５０１＞
このステップは、図３のステップ３０２に対応する。カレント訪問先ネットワークＶ−ＰＬＭＮ＿１内のＳＧＳＮ２０８は、ＵＥ１０１のホームネットワークＨ−ＰＬＭＮ内のＨＳＳ２２５へ、ロケーション更新要求メッセージを送信する。このメッセージは、隣接ＰＬＭＮを示す情報を含む。隣接ＰＬＭＮは、カレント訪問先ネットワークに隣接するＰＬＭＮである。図５の例示的な実施形態では、ＰＬＭＮ＿２が隣接ネットワークである。隣接ＰＬＭＮを示す情報は、図３のステップ３０２において送信されるネットワーク情報に対応する。
【００７８】
隣接ＰＬＭＮを示す情報は、情報エレメントの形式であってもよく、“隣接ＰＬＭＮ（Adjacent  PLMNs）”と称されてもよい。隣接ＰＬＭＮ情報エレメントは、Ｏｐｔｉｏｎａｌ（Ｏ）というカテゴリであってよい。この情報エレメントは、存在するならば、ＭＭＥ／ＳＧＳＮ２０５，２０８によりサービスを受けるＵＥ１０１が、当該ＭＭＥ／ＳＧＳＮ２０５，２０８が位置するＰＬＭＮからハンドオーバを行う可能性のあるＰＬＭＮのリストを含むものとする。このリストは、そのエリア内の様々なＰＬＭＮの地理的配置、ローミング協定などに従って、ＭＭＥ／ＳＧＳＮ２０５，２０８内の事業者により静的に構成される。
【００７９】
＜ステップ５０２＞
このステップは、図３のステップ３０３に対応する。ＨＳＳ２２５は、ステップ５０１のロケーション更新要求メッセージにおいて示されたカレント訪問先ＰＬＭＮ（例えば、Ｖ−ＰＬＭＮ＿１  １００ｖ）及び隣接ＰＬＭＮ（例えばＶ−ＰＬＭＮ＿２）についてのアクセス制限データ（ＡＲＤ）を取得する。ＡＲＤは、図３のステップ３０３において取得されるアクセス情報に対応する。
【００８０】
ＨＳＳ２２５がＭＭＥ／ＳＧＳＮ２０５，２０８から隣接するＰＬＭＮのリストを隣接ＰＬＭＮ（Adjacent-PLMNs）の属性値ペア（ＡＶＰ：Attribute  Value  Pair）の形で受信する場合、ＨＳＳ２２５は、ＶＰＬＭＮアクセス制限データ（VPLMN-Access-Restriction-Data）ＡＶＰの形で、それらＰＬＭＮの各々についての関連付けられるアクセス制限データを送信してもよく、それにより、ＭＭＥ／ＳＧＳＮ２０５，２０８は、その情報を使用して、ＨＳＳ２２５により示されたＰＬＭＮのうちのいずれかへ向けてのＲＡＴ間ＰＬＭＮ間ハンドオーバを許可し又は防止することができる。
【００８１】
上述の略語ＡＶＰは、属性値ペアの短縮形であり、表現データのセットである。
【００８２】
＜ステップ５０３＞
このステップは、図３のステップ３０４に対応する。ＨＳＳ２２５は、カレント訪問先ネットワークＶ−ＰＬＭＮ＿１  １００ｖ内のＳＧＳＮ２０８へ、ロケーション更新応答メッセージを送信する。ロケーション更新応答メッセージは、サブスクリプションデータにおいて、ＰＬＭＮ＿１及びＰＬＭＮ＿２の両方についてのＡＲＤを含む。ＰＬＭＮ＿１及びＰＬＭＮ＿２についてのＡＲＤは、図３のステップ３０４においてモビリティノード１０５へ送信されるアクセス情報に対応する。
【００８３】
ＳＧＳＮ２０８がサブスクリプション−データＡＶＰ内においてアクセス制限データＡＶＰ又はＶＰＬＭＮアクセス制限データＡＶＰを受信する場合、ＭＭＥ２０５又はＳＧＳＮ２０８は、対応する記憶された情報（存在するならば）に、受信した新たな情報を追加するよりもむしろ、当該記憶された情報を、当該受信した情報と置換するものとする。
【００８４】
ＡＶＰは、隣接ＰＬＭＮ（Adjacent-PLMNs）及びＶＰＬＭＮアクセス制限データ（VPLMN-Acces-Restriction-Data）として言及されてもよい。
【００８５】
隣接ＰＬＭＮ  ＡＶＰは、Ｇｒｏｕｐｅｄ（Ｇ）というタイプであってよい。このＡＶＰは、モビリティノード１０５（例えば、ＭＭＥ２０５又はＳＧＳＮ２０８）によりサービスを受けるＵＥ１０１が、当該モビリティノード１０５（例えば、ＭＭＥ２０５又はＳＧＳＮ２０８）が位置するＰＬＭＮからハンドオーバを行う可能性があるＰＬＭＮ  ＩＤのリストを含み得る。隣接ＰＬＭＮ  ＡＶＰのフォーマットは、次の通りであってよい：
Adjacent-PLMNs：：＝＜AVP  header:aaaa  10415＞
１＊｛Visited-PLMN-Id｝
＊［AVP］
【００８６】
ＶＰＬＭＮアクセス制限データＡＶＰは、Ｇｒｏｕｐｅｄというタイプであってよい。このＡＶＰは、そのＰＬＭＮについてのＰＬＭＮ  ＩＤと、関連付けられるアクセス制限データとのペアを含み得る。ＶＰＬＭＮアクセス制限データのＡＶＰフォーマットは、次の通りであってよい：
VPLMN-Access-Restriction-Data：：＜AVP  header:bbbb  10415＞
｛Visited-PLMN-Id｝
｛Access-Restriction-Data｝
＊［AVP］
【００８７】
＜ステップ５０４＞
このステップは、図３のステップ３０６に対応する。カレント訪問先ネットワークＶ−ＰＬＭＮ＿１内のＳＧＳＮ２０８は、ＵＥ１０１のＰＬＭＮ間変更が隣接ＰＬＭＮ＿２に対して実行されるべきかを判定する。この決定は、ステップ５０３のロケーション更新応答メッセージ内の情報に基づいて、ＳＧＳＮ２０８により行われる。試みられる変更は次の通りであってよい：
−  ＰＬＭＮのみの変更、
−  ＰＬＭＮ及びＲＡＴの変更、
−  ＲＡＴのみの変更。
【００８８】
＜ステップ５０５＞
このステップは、図３のステップ３０６に対応する。カレント訪問先ネットワーク内のＳＧＳＮ２０８
【００８９】
図５を要約すると、ロケーション更新要求メッセージは、（隣接ＰＬＭＮ  ＡＶＰの一部として）ＰＬＭＮ−ＩＤのリストを含む。その後、応答において、ＨＳＳ／ＨＬＲ２２５は、実質的にペア［ＰＬＭＮ−ＩＤ，アクセス制限］のリストを返信する。ここで、各アクセス制限は、そのＵＥ１０１及びそのＰＬＭＮ−ＩＤについて許可される／禁止されるＲＡＴを示す。
【００９０】
ロケーション更新要求メッセージ内には値ペアを有することを要しない。ＳＧＳＮ／ＭＭＥ２０５，２０８が制限値ペア｛ＰＬＭＮ，ＲＡＴ｝を執行するためには、ＳＧＳＮ／ＭＭＥ２０５，２０８は、その特定のシナリオが目下存在するかを認識していなければならない。
【００９１】
したがって、値ペアがＳＧＳＮ／ＭＭＥ２０５，２０８にとっていずれにせよ既知であるという理由により、ＳＧＳＮ／ＭＭＥ２０５，２０８が、ロケーション更新要求メッセージ内に値ペアを提供することが可能であってもよい。
【００９２】
ＳＧＳＮ／ＭＭＥ２０５，２０８は、この値ペアをＲＡＮノード１０３へ送信してもよく、ＲＡＮノード１０３は、この情報を執行する。このような実施形態では、ターゲットの値ペアが許可されるか否かを評価するのはＲＡＮノード１０３である。
【００９３】
Ｖ−ＰＬＭＮ＿１  １００ｖは、潜在的な訪問先ネットワークＶ−ＰＬＭＮ＿２  １００ｖ内のＭＭＥ２０５に関連付けられたＲＡＴ（例えば、Ｅ−ＵＴＲＡＮ）が許可されるかをチェックする。このチェックは、Ｖ−ＰＬＭＮ＿２のＡＲＤに基づいて実行される。
【００９４】
＜ステップ５０６＞
このステップは、図３のステップ３０６に対応する。ステップ５０４及び５０５において実行されたチェックに基づいて、ＵＥ１０１のハンドオーバは、許可されるか、又は拒否される。
【００９５】
図５に示される例示的な実施形態において、ＵＥ１０１はまず、カレント訪問先ネットワークＶ−ＰＬＭＮ＿１  １００ｖ内のＳＧＳＮ２０８によりサービスを受ける。ＳＧＳＮ２０８は、ＨＳＳ２２５から情報を受信する。その結果、ターゲットがＨＳＳ２２５からの情報の一部ではない場合、ＳＧＳＮ２０８は、カレント訪問先ネットワーク１００ｖにおけるＲＡＮノード１０３（例えば、ＢＳＣ又はＲＮＣ）がＵＥ１０１のハンドオーバを開始することを防止できるようになる。ＲＡＮへの影響として、ＲＡＮノード１０３は、ハンドオーバを試行しないようになり、許可されないターゲットについての案内情報をＵＥ１０１へ提供しないようになり、即ち、“リダイレクションを伴う解放”とこのようなターゲットのセル測定とを防止する。
【００９６】
次に、モビリティノード１０５の見地から見て、上記の方法について説明する。図６は、ネットワークへのＵＥ１０１のアクセスを取り扱うための、モビリティノード１０５におけるこの方法を説明するフローチャートである。モビリティノード１０５は、ＵＥ１０１によりその時点でアクセスされている訪問先ネットワーク１００ｖ内に位置する。モビリティノード１０５は、ＭＭＥか、ＳＧＳＮか、組み合わされたＭＭＥ及びＳＧＳＮか、ＴＷＡＧか、又はｅＰＤＧであってよい。図６の方法は、モビリティノード１０５により実行される以下のステップのうちの少なくともいくつかを含む。
【００９７】
＜ステップ６０１＞
このステップは、図３のステップ３０２及び図４のステップ４０１に対応する。モビリティノード１０５は、ＵＥ１０１がカレント訪問先ネットワーク１００ｖへアクセスする際に、訪問先ネットワークを通じて、ＵＥ１０１のホームネットワーク１００ｈ内の加入者サーバ１０８へ、ＵＥ１０１についてのアクセス情報を求める要求を送信する。この要求は、カレント訪問先ネットワーク１００ｖ及びＵＥ１０１がアクセス可能な少なくとも１つの潜在的な訪問先ネットワークを示すネットワーク情報を含む。
【００９８】
アクセス情報を求める要求は、当該アクセス情報を求める要求のための専用メッセージであってもよく、又は、アクセス情報を求める要求は、ロケーション更新要求メッセージにおいて送信されてもよい。
【００９９】
カレント訪問先ネットワークは、カレント訪問先ＰＬＭＮであってもよく、潜在的な訪問先ネットワークは、潜在的な訪問先ＰＬＭＮである。カレント訪問先ネットワーク１００ｖは、１つ以上のＲＡＴを含み、潜在的な訪問先ネットワークは、１つ以上のＲＡＴを含む。このことは、カレント訪問先ネットワーク１００が１つ以上のＲＡＴをサポートし又は実装し、及び、潜在的な訪問先ネットワークが１つ以上のＲＡＴをサポートし又は実装する、として記述されてもよい。ＲＡＴは、３ＧＰＰ  ＲＡＮであってもよく、又は非３ＧＰＰ  ＲＡＮであってもよい。
【０１００】
＜ステップ６０２＞
このステップは、図３のステップ３０４及び図４のステップ４０３に対応する。モビリティノード１０５は、加入者サーバ１０８から、要求において示されたネットワークのうちの少なくともいくつかについての要求されたアクセス情報を受信する。このアクセス情報は、要求において示されたネットワークのうちの少なくともいくつかについての、ＵＥ１０１がアクセスを許可される許可ネットワークＩＤ及び対応する許可ＲＡＴを含む。
【０１０１】
いくつかの実施形態において、各許可ネットワークＩＤは、少なくとも１つの対応する許可ＲＡＴを有する。いくつかの実施形態において、各許可ネットワークＩＤ及びその対応する許可ＲＡＴは、ペアに編成される。
【０１０２】
アクセス情報は、このアクセス情報のための専用メッセージにおいて受信されてもよく、又は、アクセス情報は、ロケーション更新応答メッセージにおいて受信されてもよい。
【０１０３】
潜在的な訪問先ネットワークのネットワークＩＤは、ＰＬＭＮ  ＩＤ又はＳＳＩＤであってもよく、許可ネットワークＩＤは、許可ＰＬＭＮ  ＩＤ又は許可ＳＳＩＤであってもよい。
【０１０４】
＜ステップ６０３＞
このステップは、図４のステップ４０５に対応する。モビリティノード１０５は、ＵＥ１０１が潜在的な訪問先ネットワークのうちの１つへアクセスしようとする際に、以前に受信したアクセス情報に基づいて、ＵＥ１０１が潜在的な訪問先ネットワークへアクセスすることを許可されるかを判定する。
【０１０５】
いくつかの実施形態において、潜在的な訪問先ネットワークのネットワークＩＤが、受信したアクセス情報内の許可ネットワークＩＤに合致する場合、かつ、潜在的な訪問先ネットワークのＲＡＴが、受信したアクセス情報内の許可ＲＡＴに合致する場合に、ＵＥ１０１は、潜在的な訪問先ネットワークへアクセスすることを許可される。許可ネットワークＩＤ及び許可ＲＡＴは、互いに関連付けられ得る。
【０１０６】
いくつかの実施形態において、
−  潜在的な訪問先ネットワークのネットワークＩＤが許可ネットワークＩＤに合致しない場合、及び、
−  潜在的な訪問先ネットワークのＲＡＴが許可ＲＡＴに合致しない場合、
のうちの少なくとも一方の場合に、ＵＥ１０１は、潜在的な訪問先ネットワークへアクセスすることを許可されない。
【０１０７】
＜ステップ６０３ａ＞
このステップは、図４のステップ４０５に対応する。このステップは、ステップ６０３のサブステップとみなされる。いくつかの実施形態において、モビリティノード１０５は、以前に受信したアクセス情報に基づいて、ＵＥ１０１が潜在的な訪問先ネットワークのＲＡＴへアクセスすることを許可されるかを判定する。
【０１０８】
＜ステップ６０３ｂ＞
このステップは、図３のステップ３０６及び図４のステップ４０５に対応する。このステップは、ステップ６０３のサブステップである。いくつかの実施形態において、モビリティノードは、潜在的な訪問先ネットワークのネットワークＩＤを、受信したアクセス情報内の許可ネットワークＩＤと比較する。
【０１０９】
＜ステップ６０３ｃ＞
このステップは、図３のステップ３０６及び図４のステップ４０５に対応する。このステップは、ステップ６０３のサブステップである。ステップ６０３ｃの前にステップ６０３ｂが実行されてもよく、又は、ステップ６０３ｂの前にステップ６０３ｃが実行されてもよい。或る実施形態では、ステップ６０３ｂ及び６０３ｃのうちの一方のみが実行される。また或る実施形態では、ステップ６０３ｂ及び６０３ｃの両方が実行される。いくつかの実施形態において、モビリティノードは、潜在的な訪問先ネットワークのＲＡＴを、受信したアクセス情報内の許可ＲＡＴと比較する。
【０１１０】
＜ステップ６０４＞
このステップは、図３のステップ３０５に対応する。いくつかの実施形態において、モビリティノードは、受信したアクセス情報をＲＡＮノード１０３又はワイヤレスアクセスノード１０３へ送信する。
【０１１１】
ネットワークへのＵＥ１０１のアクセスを取り扱うための、図６に示される方法ステップを実行するために、モビリティノード１０５は、図７に示されるような構成を含み得る。モビリティノード１０５は、ＵＥ１０１によりその時点でアクセスされている訪問先ネットワーク１００ｖ内に位置する、ように構成される。
【０１１２】
モビリティノード１０５は、ＵＥ１０１がカレント訪問先ネットワーク１００ｖへアクセスする際に、例えば、第１の送信モジュール７０１という手段により、訪問先ネットワークを通じて、ＵＥ１０１のホームネットワーク１００ｈ内の加入者サーバ１０８へ、ＵＥ１０１についてのアクセス情報を求める要求を送信するようにさらに構成される。この要求は、カレント訪問先ネットワーク１００ｖ及びＵＥ１０１がアクセス可能な少なくとも１つの潜在的な訪問先ネットワークを示すネットワーク情報を含む。第１の送信モジュール７０１は、第１の送信ユニット、第１の送信手段、第１の送信回路、送信のための第１の手段、第１の出力ユニット、として言及されてもよい。第１の送信モジュール７０１は、送信機、送受信機などであってよい。第１の送信モジュール７０１は、ワイヤレス通信システム又は固定通信システムのモビリティノード１０５のワイヤレス送信機であってもよい。
【０１１３】
モビリティノード１０５は、例えば、第１の受信モジュール７０３という手段により、加入者サーバ１０８から、要求において示されたネットワークのうちの少なくともいくつかについての要求されたアクセス情報を受信するように構成され、ここで、このアクセス情報は、要求において示されたネットワークのうちの少なくともいくつかについての、ＵＥ１０１がアクセスすることを許可される許可ネットワークＩＤ及び対応する許可ＲＡＴを含む。第１の受信モジュール７０３は、第１の受信ユニット、第１の受信手段、第１の受信回路、受信するための第１の手段、第１の入力ユニット、として言及されてもよい。第１の受信モジュール７０３は、受信機、送受信機などであってよい。第１の受信モジュール７０３は、ワイヤレス通信システム又は固定通信システムのモビリティノード１０５のワイヤレス受信であってもよい。
【０１１４】
モビリティノード１０５は、ＵＥ１０１が潜在的な訪問先ネットワークのうちの１つへアクセスしようとする際に、例えば、第１の判定モジュール７０５という手段により、以前に受信したアクセス情報に基づいて、ＵＥ１０１が潜在的な訪問先ネットワークへアクセスすることを許可されるかを判定する、ように構成される。第１の判定モジュール７０５は、第１の判定ユニット、第１の判定手段、第１の判定回路、判定するための第１の手段、などとして言及されてもよい。第１の判定モジュール７０５は、モビリティノード１０５に含まれる第１のプロセッサ７０６であってもよい。
【０１１５】
モビリティノード１０５は、例えば、判定モジュール７０５という手段により、以前に受信したアクセス情報に基づいて、ＵＥ１０１が潜在的な訪問先ネットワークのＲＡＴへアクセスすることを許可されるかを判定するように構成され得る。
【０１１６】
モビリティノード１０５は、例えば、第１の比較モジュール７０８という手段により、潜在的な訪問先ネットワークのネットワークＩＤを、受信したアクセス情報内の許可ネットワークＩＤと比較し、潜在的な訪問先ネットワークのＲＡＴを、受信したアクセス情報内の許可ＲＡＴと比較する、ようにさらに構成され得る。第１の比較モジュール７０８は、第１の比較ユニット、第１の比較手段、第１の比較回路、比較するための第１の手段、などとして言及されてもよい。第１の比較モジュール７０８は、モビリティノード１０５に含まれるプロセッサ７０６であってもよい。
【０１１７】
各許可ネットワークＩＤは、少なくとも１つの対応する許可ＲＡＴを有してもよく、各許可ネットワークＩＤ及びその対応する許可ＲＡＴは、ペアに編成されてもよい。
【０１１８】
潜在的な訪問先ネットワークのネットワークＩＤが受信したアクセス情報内の許可ネットワークＩＤに合致する場合であって、潜在的な訪問先ネットワークのＲＡＴが受信したアクセス情報内の許可ＲＡＴに合致するときに、ＵＥ１０１は、潜在的な訪問先ネットワークへアクセスすることを許可されるように構成され得る。許可ネットワークＩＤ及び許可ＲＡＴは、互いに関連付けられる。
【０１１９】
−  潜在的な訪問先ネットワークのネットワークＩＤが許可ネットワークＩＤに合致しない場合、及び、
−  潜在的な訪問先ネットワークのＲＡＴが許可ＲＡＴに合致しない場合、
のうちの少なくとも一方の場合に、ＵＥ１０１は、潜在的な訪問先ネットワークへアクセスすることを許可されないように構成され得る。
【０１２０】
モビリティノード１０５は、例えば、送信モジュール７０１という手段により、受信したアクセス情報をＲＡＮノード１０３又はワイヤレスアクセスノード１０３へ送信するようにさらに構成され得る。
【０１２１】
アクセス情報を求める要求は、このアクセス情報を求める要求のための専用メッセージであってもよく、又は、アクセス情報を求める要求は、ロケーション更新要求メッセージにおいて送信されてもよい。アクセス情報は、このアクセス情報のための専用メッセージにおいて受信されるように構成されてもよく、又は、アクセス情報は、ロケーション更新応答メッセージにおいて受信されるように構成されてもよい。
【０１２２】
カレント訪問先ネットワークは、カレント訪問先ＰＬＭＮであってもよく、潜在的な訪問先ネットワークは、潜在的な訪問先ＰＬＭＮである。
【０１２３】
カレント訪問先ネットワーク１００ｖは、１つ以上のＲＡＴを含んでもよく、潜在的な訪問先ネットワークは、１つ以上のＲＡＴを含む。
【０１２４】
ＲＡＴは、３ＧＰＰ  ＲＡＮ又は非３ＧＰＰ  ＲＡＮであってよい。
【０１２５】
潜在的な訪問先ネットワークのネットワークＩＤは、ＰＬＭＮ  ＩＤ又はＳＳＩＤであってもよく、許可ネットワークＩＤは、許可ＰＬＭＮ  ＩＤ又は許可ＳＳＩＤであってもよい。
【０１２６】
モビリティノード１０５は、ＭＭＥか、ＳＧＳＮか、組み合わされたＭＭＥ及びＳＧＳＮか、ＴＷＡＧか、又はｅＰＤＧであってもよい。
【０１２７】
モビリティノード１０５は、１つ以上のメモリユニットを含む第１のメモリ７１０をさらに含み得る。第１のメモリ７１０は、データ、受信したデータストリーム、電力レベル測定値、アクセス情報、ＲＡＴ情報、ＰＬＭＮ情報、ネットワーク情報、要求メッセージ、応答メッセージ、ネットワークＩＤ、閾値、時間ピリオド、構成、スケジューリング、及びアプリケーションを記憶して、モビリティノード１０５において実行される場合にここでの方法を実行する、ように使用される、ように構成される。
【０１２８】
当業者は、上記の第１の送信モジュール７０１、第１の受信モジュール７０３、第１の判定モジュール７０５、及び第１の比較モジュール７０８が、アナログ回路及びデジタル回路の組み合わせ、並びに／又は、１つ以上のプロセッサを指してよく、当該１つ以上のプロセッサが、例えば、メモリに記憶され、且つ、第１のプロセッサ７０６といった当該１つ以上のプロセッサにより実行されると上記のように稼動する、ソフトウェア及び／又はファームウェアで構成されることも認識するであろう。これらのプロセッサのうちの１つ以上及び他のデジタルハードウェアは、単一の特定用途向け集積回路（ＡＳＩＣ）内に含まれてもよく、又は、いくつかのプロセッサ及び様々なデジタルハードウェアは、システムオンチップ（ＳｏＣ）へと個々にパッケージ化されるか若しくは組み立てられるかに関わらずいくつかの別個のコンポーネント間で分散されてもよい。
【０１２９】
いくつかの実施形態において、第１のコンピュータプログラムは、少なくとも１つのプロセッサ（例えば、第１のプロセッサ７０６）上で実行されると、当該少なくとも１つのプロセッサに方法ステップ６０１〜６０４を遂行させる命令、を含み得る。第１のキャリア（例えば、第１のメモリ７１０）は、第１のコンピュータプログラムを含んでよく、第１のキャリアは、電子信号、光信号、無線信号、又はコンピュータ読取可能な記憶媒体のうちの１つである。
【０１３０】
次に、加入者サーバ１０８の見地から見られる、上記の方法について説明する。図８は、ネットワークへのＵＥ１０１のアクセスを取り扱うための、加入者サーバ１０８におけるこの方法を説明するフローチャートである。加入者サーバ１０８は、ＵＥ１０１のホームネットワーク１００ｈ内に位置する。加入者サーバ１０８は、ＨＳＳか、ＨＬＲか、又はＡＡＡサーバであり得る。図８の方法は、加入者サーバ１０８により実行される以下のステップのうちの少なくともいくつかを含む。
【０１３１】
＜ステップ８０１＞
このステップは、図３のステップ３０２及び図４のステップ４０１に対応する。加入者サーバ１０８は、ＵＥ１０１がカレント訪問先ネットワーク１００ｖへアクセスする際に、訪問先ネットワーク１００ｖ内のモビリティノード１０５から、ＵＥ１０１についてのアクセス情報を求める要求を受信する。この要求は、カレント訪問先ネットワーク１００ｖ及びＵＥ１０１がアクセス可能な少なくとも１つの潜在的な訪問先ネットワークを示すネットワーク情報を含む。
【０１３２】
ＵＥ１０１がアクセスする潜在的な訪問先ネットワークは、カレント訪問先ネットワーク１００ｖに隣接する隣接ネットワーク、及び、カレント訪問先ネットワーク１００ｖに重複する重複ネットワークのうちの少なくとも１つであり得る。
【０１３３】
要求されるアクセス情報は、サブスクリプションデータの一部としてモビリティノード１０５へ送信されてもよい。
【０１３４】
＜ステップ８０２＞
このステップは、図３のステップ３０３及び図４のステップ４０２に対応する。加入者サーバ１０８は、要求されたアクセス情報を取得する。このアクセス情報は、要求において示されたネットワークのうちの少なくともいくつかについての、ＵＥ１０１がアクセスすることを許可される許可ネットワークＩＤ及び対応する許可制限ＲＡＴを含む。
【０１３５】
許可ネットワークＩＤ及び対応する許可制限ＲＡＴは、加入者サーバ１０８において（例えばリストにおいて）ペアに編成され得る。
【０１３６】
＜ステップ８０２ａ＞
このステップは、図３のステップ３０３及び図４のステップ４０２に対応する。このステップは、ステップ８０２のサブステップである。いくつかの実施形態において、加入者サーバは、加入者サーバ１０８内に含まれる全てのアクセス情報から、要求において示された要求されたアクセス情報をフィルタリングする。
【０１３７】
＜ステップ８０３＞
このステップは、図３のステップ３４０に対応する。加入者サーバ１０８は、要求された制限情報をモビリティノード１０５へ送信する。
【０１３８】
送信されるアクセス情報の量は、加入者サーバ１０８内に含まれる全てのアクセス情報の量よりも少なくてよい。
【０１３９】
ネットワークへのＵＥ１０１のアクセスを取り扱うための、図８に示される方法ステップを実行するために、加入者サーバ１０８は、図９に示されるような構成を含み得る。加入者サーバ１０８は、ＨＳＳか、ＨＬＲか、又はＡＡＡサーバであり得る。加入者サーバ１０８は、ＵＥ１０１のホームネットワーク１００ｈ内に位置する、ように構成される。
【０１４０】
加入者サーバ１０８は、ＵＥ１０１がカレント訪問先ネットワーク１００ｖへアクセスする際に、例えば、第２の受信モジュール９０１という手段により、訪問先ネットワーク１００ｖ内のモビリティノード１０５から、ＵＥ１０１についてのアクセス情報を求める要求を受信するようにさらに構成される。この要求は、カレント訪問先ネットワーク１００ｖ及びＵＥ１０１がアクセス可能な少なくとも１つの潜在的な訪問先ネットワークを示すネットワーク情報を含む。要求されたアクセス情報は、サブスクリプションデータの一部としてモビリティノード１０５へ送信されるように構成され得る。第２の受信モジュール９０１は、第２の受信ユニット、第２の受信手段、第２の受信回路、受信するための第２の手段、第２の入力ユニット、として言及されてもよい。第２の受信モジュール０１は、受信機、送受信機などであり得る。第２の受信モジュール９０１は、ワイヤレス通信システム又は固定通信システムの加入者サーバ１０８のワイヤレス受信機であり得る。
【０１４１】
加入者サーバ１０８は、例えば第２の取得モジュール９０３という手段により、要求されたアクセス情報を取得する、ように構成される。アクセス情報は、要求において示されたネットワークのうちの少なくともいくつかについての、ＵＥ１０１がアクセスすることを許可される許可ネットワークＩＤ及び対応する許可制限ＲＡＴを含む。第２の取得モジュール９０３は、第２の取得ユニット、第２の取得手段、第２の取得回路、取得するための第２の手段、として言及されてもよい。第２の取得モジュール９０３は、加入者サーバ１０８の第２のプロセッサ９０４であり得る。
【０１４２】
加入者サーバ１０８は、例えば、第２の送信モジュール９０５という手段により、要求された制限情報をモビリティノード１０５へ送信する、ように構成される。送信されるアクセス情報の量は、加入者サーバ１０８内に含まれる全てのアクセス情報の量よりも少なくてよい。第２の送信モジュール９０５は、第２の送信ユニット、第２の送信手段、第２の送信回路、送信のための第２の手段、第２の出力ユニット、として言及されてもよい。第２の送信モジュール０５は、送信機、送受信機などであり得る。第２の送信モジュール９０５は、ワイヤレス通信システム又は固定通信システムの加入者サーバ１０８のワイヤレス送信機であり得る。
【０１４３】
許可ネットワークＩＤ及び対応する許可制限ＲＡＴは、加入者サーバ１０８においてペアに編成されるように構成され得る。
【０１４４】
いくつかの実施形態において、加入者サーバ１０８は、例えば、第２のフィルタリングモジュール９０８という手段により、加入者サーバ１０８内に含まれる全てのアクセス情報から、要求において示された要求されたアクセス情報をフィルタリングするようにさらに構成される。第２のフィルタリングモジュール９０８は、第２のフィルタリングユニット、第２のフィルタリング手段、第２のフィルタリング回路、フィルタリングするための第２の手段、として言及されてもよい。第２のフィルタリングモジュール９０８は、加入者サーバ１０８の第２のプロセッサ９０４であり得る。
【０１４５】
ＵＥ１０１がアクセスする潜在的な訪問先ネットワークは、カレント訪問先ネットワーク１００ｖに隣接する隣接ネットワーク、及び、カレント訪問先ネットワーク１００ｖに重複する重複ネットワークのうちの少なくとも１つであり得る。
【０１４６】
加入者サーバ１０８は、１つ以上のメモリユニットを含む第２のメモリ９１０をさらに含み得る。第２のメモリ９１０は、データ、受信したデータストリーム、電力レベル測定値、アクセス情報、ＲＡＴ情報、ＰＬＭＮ情報、ネットワーク情報、要求メッセージ、応答メッセージ、ネットワークＩＤ、閾値、時間ピリオド、構成、スケジューリング、及びアプリケーションを記憶して、加入者サーバ１０８において実行される場合にここでの方法を実行する、ように使用される、ように構成される。
【０１４７】
当業者は、上記の第２の受信モジュール９０１、第２の取得モジュール９０３、第２の送信モジュール９０５、及び第２のフィルタリングモジュール９０８が、アナログ回路及びデジタル回路の組み合わせ、並びに／又は、１つ以上のプロセッサを指してよく、当該１つ以上のプロセッサが、例えば、メモリ内に記憶され、且つ、第２のプロセッサ９０４といった当該１つ以上のプロセッサにより実行されると上記のように稼動する、ソフトウェア及び／又はファームウェアで構成されることも認識するであろう。これらのプロセッサのうちの１つ以上及び他のデジタルハードウェアは、単一の特定用途向け集積回路（ＡＳＩＣ）内に含まれてもよく、又は、いくつかのプロセッサ及び様々なデジタルハードウェアは、システムオンチップ（ＳｏＣ）へと個々にパッケージ化されるか若しくは組み立てられるかに関わらずいくつかの別個のコンポーネント間で分散されてもよい。
【０１４８】
いくつかの実施形態において、第２のコンピュータプログラムは、少なくとも１つのプロセッサ（例えば、第２のプロセッサ９０４）上で実行されると、当該少なくとも１つのプロセッサに方法ステップ８０１〜８０３を遂行させる命令、を含み得る。第２のキャリア（例えば、第２のメモリ９１０）は、第２のコンピュータプログラムを含んでよく、このキャリアは、電子信号、光信号、無線信号、又はコンピュータ読取可能な記憶媒体のうちの１つである。
【０１４９】
次に、ＲＡＮノード１０３の見地から見て、上記の方法について説明する。図１０は、ネットワークへのＵＥ１０１のアクセスを取り扱うための、ＲＡＮノード１０３におけるこの方法を説明するフローチャートである。ＲＡＮノード１０３は、ＵＥ１０１によりその時点でアクセスされている訪問先ネットワーク１００ｖ内に位置する。ＲＡＮノード１０３は、ｅＮＢか、ＢＳＣか、ＲＮＣか、ＮＢか、ＴＷＡＧか、又はｅＰＤＧであり得る。図１０の方法は、ＲＡＮノード１０３により実行される以下のステップのうちの少なくともいくつかを含む。
【０１５０】
＜ステップ１００１＞
このステップは、図３のステップ３０５に対応する。ＲＡＮノード１０３は、モビリティノード１０５から、アクセス情報を受信する。このアクセス情報は、カレント訪問先ネットワーク１００ｖ及び少なくとも１つの潜在的な訪問先ネットワークについての、ＵＥ１０１がアクセスすることを許可される許可ネットワークＩＤ及び対応する許可ＲＡＴを含む。
【０１５１】
＜ステップ１００２＞
このステップは、図３のステップ３０７に対応する。ＲＡＮノード１０３は、受信したアクセス情報に基づいて、この受信したアクセス情報に合致しないネットワークがＵＥ１０１についての潜在的な訪問先ネットワークとして使用されるべきではないと判定する。
【０１５２】
ＵＥ１０１についての潜在的な訪問先ネットワークとして使用されるべきではないネットワークは、セル測定から除外されるか、ハンドオーバターゲットとして除外されるか、及び、リダイレクションターゲットで除外されるかの少なくともいずれかであり得る。
【０１５３】
ネットワークへのＵＥ１０１のアクセスを取り扱うための、図１０に示される方法ステップを実行するために、ＲＡＮノード１０３は、図１１に示されるような構成を含み得る。ＲＡＮノード１０３は、ＵＥ１０１によりその時点でアクセスされている訪問先ネットワーク１００ｖ内に位置する、ように構成される。
【０１５４】
ＲＡＮノード１０３は、例えば、第３の受信モジュール１１０１という手段により、モビリティノード１０５から、アクセス情報を受信するようにさらに構成される。アクセス情報は、カレント訪問先ネットワーク１００ｖ及び少なくとも１つの潜在的な訪問先ネットワークについての、ＵＥ１０１がアクセスすることを許可される許可ネットワークＩＤ及び対応する許可ＲＡＴを含む。第３の受信モジュール１１０１は、第３の受信ユニット、第３の受信手段、第３の受信回路、受信するための第３の手段、第３の入力ユニット、として言及されてもよい。第３の受信モジュール１１０１は、受信機、送受信機などであり得る。第３の受信モジュール１１０１は、ワイヤレス通信システム又は固定通信システムのＲＡＮノード１０３のワイヤレス受信機であり得る。
【０１５５】
ＲＡＮノード１０３は、例えば、第３の判定モジュール１１０３という手段により、受信したアクセス情報に基づいて、当該受信したアクセス情報に合致しないネットワークがＵＥ１０１についての潜在的な訪問先ネットワークとして使用されるべきではないと判定する、ように構成される。第３の判定モジュール１１０３は、第３の判定ユニット、第３の判定手段、第３の判定回路、判定するための第３の手段、として言及されてもよい。第３の判定モジュール１１０３は、ＲＡＮノード１０３の第３のプロセッサ１１０４であり得る。
【０１５６】
ＵＥ１０１についての潜在的な訪問先ネットワークとして使用されるべきではないネットワークは、セル測定から除外されるか、ハンドオーバターゲットとして除外されるか、及び、リダイレクションターゲットで除外されるかの少なくともいずれかであり得る。
【０１５７】
ＲＡＮノード１０３は、ワイヤレスアクセスノードか、ｅＮＢか、ＢＳＣか、ＲＮＣか、ＮＢか、ＴＷＡＧか、又はｅＰＤＧであってもよい。
【０１５８】
ＲＡＮノード１０３は、通信システム１００内の他のノードへ情報を送信する、ように構成される第３の送信モジュール１１０５をさらに含み得る。第３の送信モジュール１１０５は、第３の送信ユニット、第３の送信手段、第３の送信回路、送信のための第３の手段、第３の出力ユニット、として言及されてもよい。第３の送信モジュール１１０５は、送信機、送受信機などであり得る。第３の送信モジュール１１０５は、ワイヤレス通信システム又は固定通信システムのＲＡＮノード１０３のワイヤレス送信機であり得る。
【０１５９】
ＲＡＮノード１０３は、１つ以上のメモリユニットを含むメモリ１１０８をさらに含み得る。メモリ１１０８は、データ、受信したデータストリーム、電力レベル測定値、アクセス情報、ＲＡＴ情報、ＰＬＭＮ情報、ネットワーク情報、要求メッセージ、応答メッセージ、ネットワークＩＤ、閾値、時間ピリオド、構成、スケジューリング、及びアプリケーションを記憶して、ＲＡＮノード１０３において実行される場合にここでの方法を実行する、ように使用される、ように構成される。
【０１６０】
当業者は、上記の第３の受信モジュール１１０１、第３の判定モジュール１１０３、及び第３の送信モジュール１１０５が、アナログ回路及びデジタル回路の組み合わせ、並びに／又は、１つ以上のプロセッサを指してよく、当該１つ以上のプロセッサが、例えば、メモリ内に記憶され、且つ、第３のプロセッサ１１０４といった当該１つ以上のプロセッサにより実行されると上記のように稼動する、ソフトウェア及び／又はファームウェアで構成されることも認識するであろう。これらのプロセッサのうちの１つ以上及び他のデジタルハードウェアは、単一の特定用途向け集積回路（ＡＳＩＣ）内に含まれてもよく、又は、いくつかのプロセッサ及び様々なデジタルハードウェアは、システムオンチップ（ＳｏＣ）へと個々にパッケージ化されるか若しくは組み立てられるかに関わらずいくつかの別個のコンポーネント間で分散されてもよい。
【０１６１】
いくつかの実施形態において、第３のコンピュータプログラムは、少なくとも１つのプロセッサ（例えば、第３のプロセッサ１１０４）上で実行されると、当該少なくとも１つのプロセッサに方法ステップ１００１〜１００３を遂行させる命令、を含み得る。第３のキャリア（例えば、第３のメモリ１１０８）は、第３のコンピュータプログラムを含んでよく、第３のキャリアは、電子信号、光信号、無線信号、又はコンピュータ読取可能な記憶媒体のうちの１つである。
【０１６２】
ネットワークへのＵＥ１０１のアクセスを取り扱うための本メカニズムは、図７に描かれたモビリティノード構成内のプロセッサｘｘ、図９に描かれた加入者サーバ構成内のプロセッサｘｘｘ、及び、図１０に描かれたＲＡＮノード構成内のプロセッサｘｘといった１つ以上のプロセッサを通じて、ここでの実施形態の機能を実行するためのコンピュータプログラムコードと共に実装され得る。プロセッサは、例えば、デジタル信号プロセッサ（ＤＳＰ）、特定用途向け集積回路（ＡＳＩＣ）プロセッサ、フィールドプログラマブルゲートアレイ（ＦＰＧＡ）プロセッサ、又はマイクロプロセッサであり得る。上述のプログラムコードは、例えば、モビリティノード１０５、加入者サーバ１０８、及びＲＡＮノード１０３のうちの少なくとも１つにロードされた場合にここでの実施形態を実行するためのコンピュータプログラムコード、を搬送するデータキャリアの形式で、コンピュータプログラムプロダクトとして提供されてもよい。１つのこのようなキャリアは、ＣＤ  ＲＯＭディスクの形式であり得る。しかしながら、１つのこのようなキャリアは、メモリスティックといった他のデータキャリアにより実現可能である。コンピュータプログラムコードは、サーバ上において純粋なプログラムコードとして提供されて、モビリティノード１０５、加入者サーバ１０８、及びＲＡＮノード１０３のうちの少なくとも１つにダウンロードされることが、さらに可能である。
【０１６３】
“加入者によるアクセスの制限”の機能性が、ＵＥが滞在しているＰＬＭＮに依存して、Ｅ−ＵＴＲＡＮ  ＲＡＴへアクセスすることの制限を可能にするように、ここまで拡張されている。この向上の基礎であったユースケースは、ユーザが自身のホームネットワークにおいてＥ−ＵＴＲＡＮへのアクセスを有するかもしれないが、予期されない潜在的に高額なローミング料を回避するために、ローミング中にはそのＲＡＴへのアクセスを有しないことがあり得ることである。
【０１６４】
さらに、ＨＳＳがＭＭＥ／ＳＧＳＮからロケーション更新要求コマンドを受信する際のＨＳＳの挙動が、ここまでに変更されている。このケースにおいて、ＨＳＳは、ロケーション更新要求を承認し又は拒否する目的で、ＵＥにより使用されるＲＡＴに加え、ＭＭＥ／ＳＧＳＮのＰＬＭＮを考慮しなければならない。
【０１６５】
ＨＳＳが、各ユーザについてＰＬＭＮごとに異なるアクセス制限を定義することが可能でなければならないかどうか、又は、その一方で、ＨＰＬＭＮに適用可能なアクセス制限と、ローミングのケースに適用可能な他の制限セットと、を定義すれば充分であるか、について、ここまで特定されていない。ＨＳＳに記憶されたサブスクリプションデータは、ＵＥが滞在したＰＬＭＮに基づいて、ＨＳＳがＲＡＴ制限に関連する様々なサブスクリプションデータを送信することを可能にすべきである。
【０１６６】
留意すべきこととして、単にホーム／ローミングアクセス制限を定義することとは対照的に、ＰＬＭＮごとの粒度で所与のユーザについてアクセス制限を定義することが、以下の利点を有する。即ち、例えばユーザのＨＰＬＭＮのパートナーであり得るＶＰＬＭＮ１内においてはＥ−ＵＴＲＡＮアクセスを許可する一方で、ＨＰＬＭＮと特定の関係性を何ら有さないことがあり得るＶＰＬＭＮ２内においてはＥ−ＵＴＲＡＮアクセスを許可しない、という利点である。
【０１６７】
上記のシナリオでは、サービングノード（例えば、ＭＭＥ／ＳＧＳＮ）が、このＭＭＥ／ＳＧＳＮが位置しているカレントＰＬＭＮ内の所与のユーザについてのＲＡＴアクセス制限に関する情報しか有していないことが明らかである。このサービングノードは、他のＰＬＭＮにおいて適用可能なアクセス制限の知識を有していない。このことは、ＰＬＭＮ間ハンドオーバ手続に対して以下のような限界に帰着する。
・ＲＡＴ間ハンドオーバ時に、ＰＬＭＮ１内のＳＧＳＮ１によりその時点でサービスを受けているＵＥは、Ｅ−ＵＴＲＡＮがＰＬＭＮ１内で許可されていない状態で、Ｅ−ＵＴＲＡＮがそのＵＥについて許可され得るＰＬＭＮ２内のＭＭＥ２に向けて、アクセス変更を試み得る。このアクセス変更は、許可されるべきであるが、ＳＧＳＮ１が、そのＵＥについてＥ−ＵＴＲＡＮが許可されていないという知識しか有していないと仮定すると、アクセス変更が正しく作用しない恐れがある。一例として、ＭＭＥ／ＳＧＳＮ／ＭＳＣが、これらのＰＬＭＮ  ＩＤを含むＮＡＳ等価ＰＬＭＮリストをＵＥに提供していない限り、このＵＥは、異なるＰＬＭＮ  ＩＤを有するセルへのセル変更の実行を試みない。
・ＲＡＴ内ハンドオーバ時に、ＰＬＭＮ１内のＭＭＥ１によりその時点でサービスを受けているＵＥは、Ｅ−ＵＴＲＡＮがＰＬＭＮ１において許可されている状態で、そのＵＥについてＥ−ＵＴＲＡＮが許可されていないことがあり得るＰＬＭＮ２内のＭＭＥ２に向けて、ハンドオーバを試みるかもしれない。このハンドオーバは、防止されるべきであるが、ＭＭＥ１が、ＵＥについてＥ−ＵＴＲＡＮが許可されているという知識しか有していないと仮定すると、この手続は、ＭＭＥ２がＨＳＳによりロケーション更新要求を拒否されるときまで準最適に続行する恐れがある。これは、より早期に、有意なシグナリングの節約を伴ってＭＭＥ１において停止され得たはずである。
【０１６８】
これらの限界を克服するために、ＨＳＳは、サービングノードのカレントＰＬＭＮ以外の他のＰＬＭＮにおけるＵＥのアクセス制限を、サービングノードへ通信する必要がある。
【０１６９】
１つの代替的な実施形態は、ＨＳＳが、ロケーション更新応答において返されるサブスクリプションデータの一部として、全ての可能なＰＬＭＮについてのアクセス制限をサービングノードへ送信するということであり得る。この実施形態の実装は、別段明示的に示されていない限り、全てのＰＬＭＮに汎用なアクセス制限を単一の情報エレメントにおいて送信し、次いで、｛ＰＬＭＮ−ＩＤ，アクセス制限｝のペアをそれら制限が汎用のものと異なる場合に送信する、ことによって最適化され得る。
【０１７０】
他の代替的な実施形態は、ＨＳＳが、サービングノードに対し、当該サービングノード自体により示され、且つ、アクセス変更が生じる可能性があると考えることが現実的である、カレントＰＬＭＮに対する隣接ＰＬＭＮ又は重複ＰＬＭＮのみに対応する、少量のＰＬＭＮにおけるアクセス制限について、通知することであり得る。したがって、サービングノードは、ロケーション更新要求コマンドにおいて、当該サービングノードがＨＳＳにそれについてのアクセス制限データを要求する、複数の隣接ＰＬＭＮ−ＩＤを含めてよく、ＨＳＳは、サブスクリプションデータの一部として、要求されたデータのみを送信する。これにより、極めて小さなデータセットが生じ、メッセージのサイズの増大は、ほとんど無視できる程度である。
【０１７１】
要約すると、モビリティノードは、所与のＵＥ１０１についてアクセス制限が異なるかもしれない近隣ＰＬＭＮに向けたＲＡＴ間ＰＬＭＮ間ハンドオーバを許可／防止する目的で、それら自体のＰＬＭＮ以外の他のＰＬＭＮにおけるＲＡＴアクセス制限について認識している必要がある。
【０１７２】
ここでの実施形態は、モビリティノード１０５により送信されるロケーション更新要求メッセージに対し、モビリティノード１０５が位置するＰＬＭＮに対する隣接ＰＬＭＮのリストを含むパラメータを追加する。さらに、ここでの実施形態は、ロケーション更新応答メッセージ又はＩＤＲにおいて加入者サーバ１０８により送信されるサブスクリプションパラメータであって、モビリティノード１０５により隣接ＰＬＭＮとして以前に示されたＰＬＭＮについてのＲＡＴアクセス制限のリストを示す当該サブスクリプションパラメータを追加する。
【０１７３】
ここでの実施形態を用いなければ、ＲＡＴ間ＰＬＭＮ間ハンドオーバのシナリオにおいて、モビリティノード１０５は、ターゲットＰＬＭＮ内におけるＵＥに適用されるアクセス制限について認識していない場合にハンドオーバ手続を許可し又は防止しなければならない際に、正しく挙動しない恐れがある。
【０１７４】
ここでの実施形態は、上記の実施形態に限定されない。様々な代替例、変形例、及び均等物が使用されてよい。したがって、上記の実施形態は、それら実施形態のスコープを限定するものとみなされるべきではなく、そのスコープは添付の特許請求の範囲により定義される。
【０１７５】
“含む（comprises/comprising）”という用語は、この明細書で使用される場合、述べられた特徴、整数、ステップ、又はコンポーネントの存在を特定するものとされるが、１つ以上の他の特徴、整数、ステップ、コンポーネント、若しくはそれらの集合の存在又は追加を排除しないことが強調されるべきである。また、エレメントに先行する“ａ”又は“ａｎ”という語が、複数のそうしたエレメントの存在を除外しないことにも留意されるべきである。
【０１７６】
ここで使用される、“…ように構成される（configured  to）”という用語は、“…ように構成される（arranged  to）”、“…ように適合される（adapted  to）”、“…可能である（capable  of）”、又は“…するように動作可能である（operative  to）”として言及されてもよい。
【０１７７】
特許請求の範囲において定義される方法のステップが、ここでの実施形態から逸脱することなく、当該方法のステップが請求項において出現する順序以外の他の順序で実行されてよいこともまた、強調されるべきである。
【図１】
0006554177.tif 000005
【図２】
0006554177.tif 000006
【図３】
0006554177.tif 000007
【図４】
0006554177.tif 000008
【図５】
0006554177.tif 000009
【図６】
0006554177.tif 000010
【図７】
0006554177.tif 000011
【図８】
0006554177.tif 000012
【図９】
0006554177.tif 000013
【図１０】
0006554177.tif 000014
【図１１】
0006554177.tif 000015